(57)【要約】【課題】  ウォブリングによりプリ情報が記録されたＤＶＤ−Ｒに対して記録情報を記録する際における当該ＤＶＤ−Ｒの回転制御の精度を向上させることが可能なプリ情報記録装置、プリ情報が記録されたＤＶＤ−Ｒ及び情報記録装置を提供する。【解決手段】  グルーブトラック２において、一のシンクフレーム（ＥＶＥＮフレーム又はＯＤＤフレーム）に対応するグルーブトラック２の前半部分を一定のウォブリング周波数ｆ0でウォブリングさせると共に、グルーブトラック２の後半部分を記録すべきプリ情報に対応したウォブリング周波数ｆ1又はｆ2でウォブリングさせて当該プリ情報を記録する。  記録情報の記録時においては、一のシンクフレーム毎にウォブリング周波数ｆ0を検出し、これに基づいてＤＶＤ−Ｒの回転制御を行う。【選択図】  図２
2005149720.tif 000002
【特許請求の範囲】
【請求項１】
記録すべき記録情報を記録媒体に対して記録する際の当該記録媒体の移動速度を制御するための移動制御情報を、前記記録媒体上に形成されたトラックをウォブリングさせることにより当該記録媒体に記録する移動制御情報記録装置であって、
前記記録情報における一の情報単位が記録されるべき領域内に形成される前記トラックである情報単位内トラックの一部を、予め設定された所定の周波数でウォブリングさせるための特定ウォブリング信号を生成する特定ウォブリング信号生成手段と、
前記特定ウォブリング信号に基づいて、前記情報単位内トラックの一部を前記所定の周波数でウォブリングさせることにより前記移動制御情報を記録する記録手段と、
を備え、
前記特定ウォブリング信号生成手段は、前記記録媒体上の全ての前記情報単位内トラックについて、相互に同じ位置における前記ウォブリングの周波数が前記所定の周波数となるように前記特定ウォブリング信号を生成することを特徴とする移動制御情報記録装置。
【請求項２】
請求項１に記載の移動制御情報記録装置において、
一の前記情報単位内トラックにおける、前記所定の周波数でウォブリングされている情報単位内トラック以外の前記情報単位内トラックの前記ウォブリングの周波数を、前記情報単位内トラックに記録すべき制御情報であって、前記記録情報の記録の際に用いられる制御情報に対応した周波数とする制御ウォブリング信号を生成する制御ウォブリング信号生成手段を更に備え、
前記記録手段は、前記特定ウォブリング信号と前記制御ウォブリング信号に基づいて、前記情報単位内トラックをウォブリングさせることにより前記移動制御情報及び前記制御情報を前記記録媒体に記録することを特徴とする移動制御情報記録装置。
【請求項３】
請求項２に記載の移動制御情報記録装置において、
前記特定ウォブリング信号生成手段は、一の前記情報単位内トラックにおいて、前記所定の周波数でウォブリングされている情報単位内トラックの長さが一の前記情報単位内トラックの半分の長さとなるように前記特定ウォブリング信号を生成することを特徴とする移動制御情報記録装置。
【請求項４】
請求項２又は３に記載の移動制御情報記録装置であって、
前記移動制御情報及び前記制御情報を、前記記録媒体上の前記トラックに隣接する隣接トラック上にピットを形成することにより記録するためのピット形成信号を生成するピット形成信号生成手段を更に備え、
前記記録手段は、少なくとも前記特定ウォブリング信号及び前記ピット形成信号に基づいて、前記情報単位内トラックを前記所定の周波数でウォブリングさせることにより前記移動制御情報を記録すると共に、前記隣接トラック上に前記ピットを形成して前記移動制御情報及び前記制御情報を前記記録媒体上に記録することを特徴とする移動制御情報記録装置。
【請求項５】
請求項１から４のいずれか一項に記載の移動制御情報記録装置において、
前記記録媒体は、円盤状記録媒体であると共に、
前記移動制御情報は、前記記録情報の記録時における前記円盤状記録媒体の回転数を制御するための回転制御情報であることを特徴とする移動制御情報記録装置。
【請求項６】
記録すべき記録情報を記録媒体に記録する際の当該記録媒体の移動速度を制御するための移動制御情報が、前記記録情報における一の情報単位が記録されるべき前記記録媒体上の領域内に形成されるトラックである情報単位内トラックの一部を予め設定された所定の周波数でウォブリングさせることにより記録されている記録媒体であって、
前記記録媒体上の全ての前記情報単位内トラックについて、相互に同じ位置における前記ウォブリングの周波数が前記所定の周波数となることにより前記移動制御情報が記録されていることを特徴とする記録媒体。
【請求項７】
請求項６に記載の記録媒体において、
一の前記情報単位内トラックにおける、前記所定の周波数でウォブリングされている情報単位内トラック以外の前記情報単位内トラックの前記ウォブリングの周波数が、前記情報単位内トラックに記録すべき制御情報であって、前記記録情報の記録の際に用いられる制御情報に対応した周波数とされることにより前記制御情報が記録されていることを特徴とする記録媒体。
【請求項８】
請求項７に記載の記録媒体において、
一の前記情報単位内トラックにおいて、前記所定の周波数でウォブリングされている情報単位内トラックの長さが一の前記情報単位内トラックの半分の長さであることを特徴とする記録媒体。
【請求項９】
請求項７又は８に記載の記録媒体において、
前記移動制御情報及び前記制御情報が、前記記録媒体上の前記トラックに隣接する隣接トラック上にピットを形成することにより記録されていることを特徴とする記録媒体。
【請求項１０】
請求項５から９のいずれか一項に記載の記録媒体において、
当該記録媒体は円盤状記録媒体であると共に、
前記移動制御情報は、前記記録情報の記録時における前記円盤状記録媒体の回転数を制御するための回転制御情報であることを特徴とする記録媒体。
【請求項１１】
記録すべき記録情報を記録媒体に記録する際の当該記録媒体の移動速度を制御するための移動制御情報が、前記記録情報における一の情報単位が記録されるべき前記記録媒体上の領域内に形成されるトラックである情報単位内トラックの一部を予め設定された所定の周波数でウォブリングさせることにより記録されている記録媒体であって、前記記録媒体上の全ての前記情報単位内トラックについて、相互に同じ位置における前記ウォブリングの周波数が前記所定の周波数となることにより前記移動制御情報が記録されている前記記録媒体に対して前記記録情報を記録する情報記録装置であって、
前記情報単位内トラックに対して光ビームを照射し、当該光ビームの前記情報単位内トラックからの反射光に基づいて再生信号を出力するピックアップ手段と、
前記出力された再生信号から、前記移動制御情報を抽出する抽出手段と、
前記抽出された移動制御情報に基づいて、前記記録媒体を移動させる移動手段を駆動するための駆動信号を生成する駆動信号生成手段と、
前記生成された駆動信号に基づいて、前記記録媒体を移動させる前記移動手段と、
前記移動手段により移動されている前記記録媒体に対して前記記録情報を記録する記録手段と、
を備えることを特徴とする情報記録装置。
【請求項１２】
請求項１１に記載の情報記録装置において、
前記記録媒体は、一の前記情報単位内トラックにおける、前記所定の周波数でウォブリングされている情報単位内トラック以外の前記情報単位内トラックの前記ウォブリングの周波数が、前記情報単位内トラックに記録すべき制御情報であって、前記記録情報の記録の際に用いられる制御情報に対応した周波数とされることにより前記制御情報が記録されていると共に、
前記抽出手段は、前記出力された再生信号から前記制御情報を抽出し、
更に前記記録手段は、前記抽出された制御情報に基づいて前記記録情報を前記記録媒体に記録することを特徴とする情報記録装置。
【請求項１３】
請求項１２に記載の情報記録装置において、
前記記録媒体上の一の前記情報単位内トラックにおいて、前記所定の周波数でウォブリングされている情報単位内トラックの長さが、一の前記情報単位内トラックの半分の長さであることを特徴とする情報記録装置。
【請求項１４】
請求項１２又は１３に記載の情報記録装置において、
前記記録媒体には、前記移動制御情報及び前記制御情報が、前記記録媒体上の前記トラックに隣接する隣接トラック上にピットを形成することにより記録されていると共に、
前記ピックアップ手段は、前記情報単位内トラック及び前記隣接トラックに前記光ビームを照射し、当該光ビームの前記情報単位内トラック及び前記隣接トラックからの反射光に基づいて前記再生信号を出力することを特徴とする情報記録装置。
【請求項１５】
請求項１１から１４のいずれか一項に記載の情報記録装置において、
前記記録媒体は円盤状記録媒体であると共に、
前記移動制御情報は、前記円盤状記録媒体の回転数を制御するための回転制御情報であり、
更に、前記移動手段は、前記駆動信号に基づいて前記円盤状記録媒体を回転駆動することを特徴とする情報記録装置。
【発明の詳細な説明】
【技術分野】
【０００１】
本発明は、ＤＶＤに代表される、従来のＣＤ（Compact Disk）等よりも記録密度を飛躍的に向上させた記録媒体のうち、追記可能なＷＯ（Write Once）型の記録媒体（以下、ＤＶＤ−Ｒ（DVD-Recordable）という。）において、当該ＤＶＤ−Ｒに対する画像情報等の記録情報の記録時の位置検索等に必要なアドレス情報又は同期信号或はＤＶＤ−Ｒの回転制御のための回転制御信号等の制御情報（以下、プリ情報という。）を予め記録するための制御情報記録装置及び当該プリ情報が記録されたＤＶＤ−Ｒ並びに当該ＤＶＤ−Ｒからプリ情報を再生して本来記録すべき上記記録情報を記録するための情報記録装置の技術分野に属する。
【背景技術】
【０００２】
従来、上述のような、プリ情報が予め記録され、当該プリ情報に基づいて情報が追記可能な記録媒体としては、ＣＤと同程度の記録容量を備える光ディスクであるＣＤ−Ｒ（CD-Recordable ）が知られている。
【０００３】
そして、当該ＣＤ−Ｒにおいて上記プリ情報を記録する際には、予めＣＤ−Ｒの製造時のプリフォーマットの段階で、記録情報を記録するトラック（グルーブトラック又はランドトラック）を、記録すべきプリ情報を予めＦＭ（Frequency Modulation）変調した信号に対応する周波数で波型にウォブリングさせることにより当該プリ情報を記録していた。
【０００４】
また、従来のＣＤ−Ｒに対して実際に記録情報を記録する際には、当該ウォブリングされているトラックのウォブリング周波数を検出し、これに基づいてＣＤ−Ｒを回転制御するための基準クロックを抽出し、当該抽出した基準クロックに基づいてＣＤ−Ｒを回転させるスピンドルモータを回転制御するための駆動信号を生成していた。
【発明の開示】
【発明が解決しようとする課題】
【０００５】
しかしながら、上記従来のウォブリングにより記録されたプリ情報に基づいてＣＤ−Ｒを回転制御する方法では、記録すべきプリ情報の内容の変化に対応して、トラックのウォブリング周波数がＣＤ−Ｒ上の位置によって変化するため、これらの周波数の平均値を取って基準クロックを抽出する制御が行われていたが、これによると記録情報の記録時における精度の高い回転制御ができないという問題点があった。
【０００６】
すなわち、例えば、プリ情報として「０」と「１」が交互に連続して記録されるべき領域のウォブリング周波数の平均値と、プリ情報として「０」のみが連続する領域のウォブリング周波数の平均値と、プリ情報として「１」のみが連続する領域のウォブリング周波数の平均値とでは自ずと夫々の平均値が異なってくる。従って、これらの平均値に基づいて基準クロックを抽出すると、当該抽出された基準クロックの周波数もＣＤ−Ｒの位置によって変動することとなり、これにより精度の高い回転制御ができないのである。
【０００７】
そこで、本発明は、上記問題点に鑑みて成されたもので、その課題は、ウォブリングによりプリ情報が記録された記録媒体に対して記録情報を記録する際における当該記録媒体の回転制御の精度を向上させることが可能なプリ情報記録装置及びプリ情報が記録された記録媒体並びに情報記録装置を提供することにある。
【課題を解決するための手段】
【０００８】
上記の課題を解決するために、請求項１に記載の発明は、記録すべき記録情報を記録媒体に対して記録する際の当該記録媒体の移動速度を制御するための移動制御情報を、前記記録媒体上に形成されたグルーブトラック等のトラックをウォブリングさせることにより当該記録媒体に記録する移動制御情報記録装置であって、前記記録情報におけるシンクフレーム等の一の情報単位が記録されるべき領域内に形成される前記トラックである情報単位内トラックの一部を、予め設定された所定の周波数でウォブリングさせるための特定ウォブリング信号を生成するプリフォーマット用エンコーダ等の特定ウォブリング信号生成手段と、前記特定ウォブリング信号に基づいて、前記情報単位内トラックの一部を前記所定の周波数でウォブリングさせることにより前記移動制御情報を記録する光変調器等の記録手段と、を備え、前記特定ウォブリング信号生成手段は、前記記録媒体上の全ての前記情報単位内トラックについて、相互に同じ位置における前記ウォブリングの周波数が前記所定の周波数となるように前記特定ウォブリング信号を生成するように構成される。
【０００９】
請求項１に記載の発明の作用によれば、特定ウォブリング信号生成手段は、情報単位内トラックの一部を、所定の周波数でウォブリングさせるための特定ウォブリング信号を生成する。
【００１０】
そして、記録手段は、特定ウォブリング信号に基づいて、情報単位内トラックを所定の周波数でウォブリングさせることにより移動制御情報を記録する。
【００１１】
このとき、特定ウォブリング信号生成手段は、記録媒体上の全ての情報単位内トラックについて、相互に同じ位置におけるウォブリングの周波数が所定の周波数となるように特定ウォブリング信号を生成する。
【００１２】
よって、全ての情報単位内トラックについて、相互に同じ位置におけるウォブリングの周波数が予め設定された所定の周波数となって移動制御情報が記録されるので、記録情報の記録時において、当該移動制御情報を検出し、これに基づいて記録媒体の移動を制御すれば、情報単位毎の周期で正確に検出される移動制御情報に基づいて移動制御することとなり、記録情報の記録における記録媒体の移動を正確に制御することができる。
【００１３】
上記の課題を解決するために、請求項２に記載の発明は、請求項１に記載の移動制御情報記録装置において、一の前記情報単位内トラックにおける、前記所定の周波数でウォブリングされている情報単位内トラック以外の前記情報単位内トラックの前記ウォブリングの周波数を、前記情報単位内トラックに記録すべきアドレス情報等の制御情報であって、前記記録情報の記録の際に用いられる制御情報に対応した周波数とする制御ウォブリング信号を生成するプリフォーマット用エンコーダ等の制御ウォブリング信号生成手段を更に備え、前記記録手段は、前記特定ウォブリング信号と前記制御ウォブリング信号に基づいて、前記情報単位内トラックをウォブリングさせることにより前記移動制御情報及び前記制御情報を前記記録媒体に記録するように構成される。
【００１４】
請求項２に記載の発明の作用によれば、請求項１に記載の発明の作用に加えて、制御ウォブリング信号生成手段は、情報単位内トラックにおける、所定の周波数でウォブリングされている情報単位内トラック以外の情報単位内トラックのウォブリングの周波数を制御情報に対応した周波数とする制御ウォブリング信号を生成する。
【００１５】
そして、記録手段は、特定ウォブリング信号と制御ウォブリング信号に基づいて、情報単位内トラックをウォブリングさせることにより移動制御情報及び制御情報を記録媒体に記録する。
【００１６】
よって、情報単位内トラックに移動制御情報に加えて制御情報をもウォブリングにより記録されるので、記録情報の記録時において、当該制御情報が情報単位毎の周期で正確に検出されることとなり、記録媒体の移動制御を正確に行いつつ記録情報の記録に必要な情報を取得することができる。
【００１７】
上記の課題を解決するために、請求項３に記載の発明は、請求項２に記載の移動制御情報記録装置において、前記特定ウォブリング信号生成手段は、一の前記情報単位内トラックにおいて、前記所定の周波数でウォブリングされている情報単位内トラックの長さが一の前記情報単位内トラックの半分の長さとなるように前記特定ウォブリング信号を生成するように構成される。
【００１８】
請求項３に記載の発明の作用によれば、請求項２に記載の発明の作用に加えて、特定ウォブリング信号生成手段は、一の情報単位内トラックにおいて、所定の周波数でウォブリングされている情報単位内トラックの長さが一の情報単位内トラックの半分の長さとなるように特定ウォブリング信号を生成する。
【００１９】
よって、上記所定の周波数でウォブリングされている情報単位内トラックの長さと制御情報に対応した周波数でウォブリングされている情報単位内トラックの長さとが等しくなるので、特定ウォブリング信号の生成処理及び制御ウォブリング信号の生成処理を簡略化することができる。
【００２０】
また、記録情報の記録時において移動制御情報と制御情報の双方を確実に検出することができる。
【００２１】
上記の課題を解決するために、請求項４に記載の発明は、請求項２又は３に記載の移動制御情報記録装置であって、前記移動制御情報及び前記制御情報を、前記記録媒体上の前記トラックに隣接するランドトラック等の隣接トラック上にピットを形成することにより記録するためのピット形成信号を生成するプリフォーマット用エンコーダ等のピット形成信号生成手段を更に備え、前記記録手段は、少なくとも前記特定ウォブリング信号及び前記ピット形成信号に基づいて、前記情報単位内トラックを前記所定の周波数でウォブリングさせることにより前記移動制御情報を記録すると共に、前記隣接トラック上に前記ピットを形成して前記移動制御情報及び前記制御情報を前記記録媒体上に記録するように構成される。  請求項４に記載の発明の作用によれば、請求項２又は３に記載の発明の作用に加えて、ピット形成信号生成手段は、移動制御情報及び制御情報を隣接トラック上にピットを形成することにより記録するためのピット形成信号を生成する。
【００２２】
そして、記録手段は、少なくとも特定ウォブリング信号及びピット形成信号に基づいて、情報単位内トラックを所定の周波数でウォブリングさせることにより移動制御情報を記録すると共に、隣接トラック上にピットを形成して移動制御情報及び制御情報を記録媒体上に記録する。
【００２３】
よって、移動制御情報が情報単位内トラックをウォブリングさせること及びピットを形成することの双方により重畳して記録されるので、ウォブリングにより記録された移動制御情報又はピットにより記録された移動制御情報のうちのいずれか一方が検出されない場合でも、確実に記録媒体の移動を制御することができる。
【００２４】
上記の課題を解決するために、請求項５に記載の発明は、請求項１から４のいずれか一項に記載の移動制御情報記録装置において、前記記録媒体は、ＤＶＤ−Ｒ等の円盤状記録媒体であると共に、前記移動制御情報は、前記記録情報の記録時における前記円盤状記録媒体の回転数を制御するための回転制御情報であるように構成される。
【００２５】
請求項５に記載の発明の作用によれば、請求項１から４のいずれか一項に記載の発明の作用に加えて、記録媒体が円盤状記録媒体であると共に、移動制御情報が当該円盤状記録媒体の回転数を制御するための回転制御情報であるので、記録情報の記録における円盤状記録媒体の回転数を正確に制御することができる。
【００２６】
上記の課題を解決するために、請求項６に記載の発明は、記録すべき記録情報を記録媒体に記録する際の当該記録媒体の移動速度を制御するための移動制御情報が、前記記録情報におけるシンクフレーム等の一の情報単位が記録されるべき前記記録媒体上の領域内に形成されるグルーブトラック等のトラックである情報単位内トラックの一部を予め設定された所定の周波数でウォブリングさせることにより記録されている記録媒体であって、前記記録媒体上の全ての前記情報単位内トラックについて、相互に同じ位置における前記ウォブリングの周波数が前記所定の周波数となることにより前記移動制御情報が記録されて構成される。
【００２７】
請求項６に記載の発明の作用によれば、記録媒体の移動速度を制御するための移動制御情報が、情報単位内トラックの一部が予め設定された所定の周波数でウォブリングされることにより記録されており、且つ、全ての情報単位内トラックについて、相互に同じ位置におけるウォブリングの周波数が上記所定の周波数となることにより移動制御情報が記録されているので、記録情報の記録時において、当該移動制御情報を検出し、これに基づいて記録媒体の移動を制御すれば、情報単位毎の周期で正確に検出される移動制御情報に基づいて移動制御することとなり、記録情報の記録における記録媒体の移動を正確に制御することができる。
【００２８】
上記の課題を解決するために、請求項７に記載の発明は、請求項６に記載の記録媒体において、一の前記情報単位内トラックにおける、前記所定の周波数でウォブリングされている情報単位内トラック以外の前記情報単位内トラックの前記ウォブリングの周波数が、前記情報単位内トラックに記録すべきアドレス情報等の制御情報であって、前記記録情報の記録の際に用いられる制御情報に対応した周波数とされることにより前記制御情報が記録されているように構成される。
【００２９】
請求項７に記載の発明の作用によれば、請求項６に記載の発明の作用に加えて、所定の周波数でウォブリングされている情報単位内トラック以外の情報単位内トラックのウォブリングの周波数が制御情報に対応した周波数とされることにより制御情報が記録されているので、情報単位内トラックに移動制御情報に加えて制御情報をもウォブリングにより記録されていることとなり、記録情報の記録時において、当該制御情報が情報単位毎の周期で正確に検出され、記録媒体の移動制御を正確に行いつつ記録情報の記録に必要な情報を取得することができる。
【００３０】
上記の課題を解決するために、請求項８に記載の発明は、請求項７に記載の記録媒体において、一の前記情報単位内トラックにおいて、前記所定の周波数でウォブリングされている情報単位内トラックの長さが一の前記情報単位内トラックの半分の長さであるように構成される。
【００３１】
請求項８に記載の発明の作用によれば、請求項７に記載の発明の作用に加えて、一の情報単位内トラックにおいて、所定の周波数でウォブリングされている情報単位内トラックの長さが一の情報単位内トラックの半分の長さであるので、上記所定の周波数でウォブリングされている情報単位内トラックの長さと、制御情報に対応した周波数でウォブリングされている情報単位内トラックの長さとが等しくなり、記録情報の記録時において移動制御情報と制御情報の双方を確実に検出することができる。
【００３２】
上記の課題を解決するために、請求項９に記載の発明は、請求項７又は８に記載の記録媒体において、前記移動制御情報及び前記制御情報が、前記記録媒体上の前記トラックに隣接するランドトラック等の隣接トラック上にピットを形成することにより記録されているように構成される。
【００３３】
請求項９に記載の発明の作用によれば、請求項７又は８に記載の発明の作用に加えて、移動制御情報及び制御情報が隣接トラック上にピットを形成することにより記録されているので、移動制御情報が情報単位内トラックをウォブリングさせること及びピットを形成することの双方により重畳して記録されていることとなり、ウォブリングにより記録された移動制御情報又はピットにより記録された移動制御情報のうちのいずれか一方が検出されない場合でも、確実に記録媒体の移動を制御することができる。
【００３４】
上記の課題を解決するために、請求項１０に記載の発明は、請求項５から９のいずれか一項に記載の記録媒体において、当該記録媒体はＤＶＤ−Ｒ等の円盤状記録媒体であると共に、前記移動制御情報は、前記記録情報の記録時における前記円盤状記録媒体の回転数を制御するための回転制御情報であるように構成される。
【００３５】
請求項１０に記載の発明の作用によれば、請求項５から９のいずれか一項に記載の発明の作用に加えて、記録媒体が円盤状記録媒体であると共に、移動制御情報が当該円盤状記録媒体の回転数を制御するための回転制御情報であるので、記録情報の記録時における円盤状記録媒体の回転数を正確に制御することができる。
【００３６】
上記の課題を解決するために、請求項１１に記載の発明は、記録すべき記録情報を記録媒体に記録する際の当該記録媒体の移動速度を制御するための移動制御情報が、前記記録情報におけるシンクフレーム等の一の情報単位が記録されるべき前記記録媒体上の領域内に形成されるランドトラック等のトラックである情報単位内トラックの一部を予め設定された所定の周波数でウォブリングさせることにより記録されている記録媒体であって、前記記録媒体上の全ての前記情報単位内トラックについて、相互に同じ位置における前記ウォブリングの周波数が前記所定の周波数となることにより前記移動制御情報が記録されている前記記録媒体に対して前記記録情報を記録する情報記録装置であって、前記情報単位内トラックに対して光ビームを照射し、当該光ビームの前記情報単位内トラックからの反射光に基づいて再生信号を出力するピックアップ等のピックアップ手段と、前記出力された再生信号から、前記移動制御情報を抽出するフィルタ等の抽出手段と、前記抽出された移動制御情報に基づいて、前記記録媒体を移動させる移動手段を駆動するための駆動信号を生成するサーボ回路等の駆動信号生成手段と、前記生成された駆動信号に基づいて、前記記録媒体を移動させるスピンドルモータ等の前記移動手段と、前記移動手段により移動されている前記記録媒体に対して前記記録情報を記録するピックアップ等の記録手段と、を備える。
【００３７】
請求項１１に記載の発明の作用によれば、ピックアップ手段は、情報単位内トラックの一部を所定の周波数でウォブリングさせることにより移動制御情報が記録されている記録媒体であって、全ての情報単位内トラックについて、相互に同じ位置におけるウォブリングの周波数が所定の周波数となることにより移動制御情報が記録されている記録媒体上の上記情報単位内トラックに対して光ビームを照射し、当該光ビームの反射光に基づいて再生信号を出力する。
【００３８】
そして、抽出手段は、出力された再生信号から、移動制御情報を抽出する。
【００３９】
その後、駆動信号生成手段は、抽出された移動制御情報に基づいて駆動信号を生成する。
【００４０】
そして、移動手段は、生成された駆動信号に基づいて、記録媒体を移動させる。これらにより、記録手段は、移動手段により移動されている記録媒体に対して記録情報を記録する。
【００４１】
よって、記録媒体における全ての情報単位内トラックについて、相互に同じ位置におけるウォブリングの周波数が予め設定された所定の周波数となって移動制御情報が記録されており、且つ、当該移動制御情報を検出し、これに基づいて記録媒体の移動を制御するので、情報単位毎の周期で正確に検出される移動制御情報に基づいて記録媒体を移動制御することとなり、記録情報の記録における記録媒体の移動を正確に制御することができる。
【００４２】
上記の課題を解決するために、請求項１２に記載の発明は、請求項１１に記載の情報記録装置において、前記記録媒体は、一の前記情報単位内トラックにおける、前記所定の周波数でウォブリングされている情報単位内トラック以外の前記情報単位内トラックの前記ウォブリングの周波数が、前記情報単位内トラックに記録すべきアドレス情報等の制御情報であって、前記記録情報の記録の際に用いられる制御情報に対応した周波数とされることにより前記制御情報が記録されていると共に、前記抽出手段は、前記出力された再生信号から前記制御情報を抽出し、更に前記記録手段は、前記抽出された制御情報に基づいて前記記録情報を前記記録媒体に記録するように構成される。
【００４３】
請求項１２に記載の発明の作用によれば、請求項１１に記載の発明の作用に加えて、記録媒体は、一の情報単位内トラックにおける所定の周波数でウォブリングされている情報単位内トラック以外の情報単位内トラックのウォブリングの周波数が、制御情報に対応した周波数とされることにより制御情報が記録されていると共に、抽出手段は、出力された再生信号から制御情報を抽出し、更に記録手段は、抽出された制御情報に基づいて記録情報を記録媒体に記録する。
【００４４】
よって、記録情報の記録時に、移動制御情報と共に制御情報が情報単位毎の周期で正確に検出されるので、記録媒体の移動制御を正確に行いつつ記録情報の記録に必要な情報を取得することができる。
【００４５】
上記の課題を解決するために、請求項１３に記載の発明は、請求項１２に記載の情報記録装置において、前記記録媒体上の一の前記情報単位内トラックにおいて、前記所定の周波数でウォブリングされている情報単位内トラックの長さが、一の前記情報単位内トラックの半分の長さであるように構成される。
【００４６】
請求項１３に記載の発明の作用によれば、請求項１２に記載の発明の作用に加えて、記録媒体上の一の情報単位内トラックにおいて、所定の周波数でウォブリングされている情報単位内トラックの長さが一の情報単位内トラックの半分の長さとされている。
【００４７】
よって、上記所定の周波数でウォブリングされている情報単位内トラックの長さと制御情報に対応した周波数でウォブリングされている情報単位内トラックの長さとが等しくなるので、移動制御情報と制御情報との双方を確実に検出して記録情報を記録することができる。
【００４８】
上記の課題を解決するために、請求項１４に記載の発明は、請求項１２又は１３に記載の情報記録装置において、前記記録媒体には、前記移動制御情報及び前記制御情報が、前記記録媒体上の前記トラックに隣接するランドトラック等の隣接トラック上にピットを形成することにより記録されていると共に、前記ピックアップ手段は、前記情報単位内トラック及び前記隣接トラックに前記光ビームを照射し、当該光ビームの前記情報単位内トラック及び前記隣接トラックからの反射光に基づいて前記再生信号を出力するように構成される。
【００４９】
請求項１４に記載の発明の作用によれば、請求項１２又は１３に記載の発明の作用に加えて、記録媒体には、移動制御情報及び制御情報が、記録媒体上の隣接トラック上にピットを形成することにより記録されていると共に、ピックアップ手段は、情報単位内トラック及び隣接トラックに光ビームを照射し、当該光ビームの情報単位内トラック及び隣接トラックからの反射光に基づいて上記再生信号を出力する。
【００５０】
よって、記録媒体上において、移動制御情報が情報単位内トラックをウォブリングさせること及びピットを形成することの双方により重畳して記録されているので、ウォブリングにより記録された移動制御情報又はピットにより記録された移動制御情報のうちのいずれか一方が検出されない場合でも、確実に記録媒体の移動を制御して情報を記録することができる。
【００５１】
上記の課題を解決するために、請求項１５に記載の発明は、請求項１１から１４のいずれか一項に記載の情報記録装置において、前記記録媒体はＤＶＤ−Ｒ等の円盤状記録媒体であると共に、前記移動制御情報は、前記円盤状記録媒体の回転数を制御するための回転制御情報であり、更に、前記移動手段は、前記駆動信号に基づいて前記円盤状記録媒体を回転駆動するように構成される。
【００５２】
請求項１５に記載の発明の作用によれば、請求項１１から１４のいずれか一項に記載の発明の作用に加えて、記録媒体は円盤状記録媒体であると共に、移動制御情報は、円盤状記録媒体の回転数を制御するための回転制御情報であり、更に移動手段は、駆動信号に基づいて円盤状記録媒体を回転駆動する。
【００５３】
よって、記録情報の記録における円盤状記録媒体の回転数を正確に制御することができる。
【発明の効果】
【００５４】
以上説明したように、請求項１に記載の発明によれば、情報単位内トラックの一部を所定の周波数でウォブリングさせる特定ウォブリング信号を生成し、当該特定ウォブリング信号に基づいて、記録媒体上の全ての情報単位内トラックについて、相互に同じ位置におけるウォブリングの周波数が所定の周波数となるように当該情報単位内トラックをウォブリングさせることにより移動制御情報を記録するので、全ての情報単位内トラックについて、相互に同じ位置におけるウォブリングの周波数が予め設定された所定の周波数となって移動制御情報が記録されることとなり、記録情報の記録時において、当該移動制御情報を検出し、これに基づいて記録媒体の移動を制御すれば、情報単位毎の周期で正確に検出される移動制御情報に基づいて移動制御することができる。
【００５５】
従って、記録情報の記録における記録媒体の移動を正確に制御することができ、記録情報を正確且つ確実に記録することができる。
【００５６】
請求項２に記載の発明によれば、請求項１に記載の発明の効果に加えて、情報単位内トラックにおける、所定の周波数でウォブリングされている情報単位内トラック以外の情報単位内トラックのウォブリングの周波数を制御情報に対応した周波数とする制御ウォブリング信号を生成し、特定ウォブリング信号と当該制御ウォブリング信号に基づいて、情報単位内トラックをウォブリングさせることにより移動制御情報及び制御情報を記録媒体に記録するので、情報単位内トラックに移動制御情報に加えて制御情報をもウォブリングにより記録されることとなり、記録情報の記録時において、当該制御情報が情報単位毎の周期で正確に検出される。
【００５７】
従って、記録媒体の移動制御を正確に行いつつ記録情報の記録に必要な情報を取得することができる。
【００５８】
請求項３に記載の発明によれば、請求項２に記載の発明の効果に加えて、一の情報単位内トラックにおいて、所定の周波数でウォブリングされている情報単位内トラックの長さが一の情報単位内トラックの半分の長さとなるように特定ウォブリング信号を生成するので、上記所定の周波数でウォブリングされている情報単位内トラックの長さと制御情報に対応した周波数でウォブリングされている情報単位内トラックの長さとが等しくなる。
【００５９】
従って、特定ウォブリング信号の生成処理及び制御ウォブリング信号の生成処理を簡略化することができると共に、記録情報の記録時において移動制御情報と制御情報の双方を確実に検出することができる。
【００６０】
請求項４に記載の発明によれば、請求項２又は３に記載の発明の効果に加えて、移動制御情報及び制御情報を隣接トラック上にピットを形成することにより記録するピット形成信号を生成し、少なくとも特定ウォブリング信号及びピット形成信号に基づいて、情報単位内トラックを所定の周波数でウォブリングさせることにより移動制御情報を記録すると共に、隣接トラック上にピットを形成して移動制御情報及び制御情報を記録媒体上に記録する。
【００６１】
従って、移動制御情報が情報単位内トラックをウォブリングさせること及びピットを形成することの双方により重畳して記録されるので、ウォブリングにより記録された移動制御情報又はピットにより記録された移動制御情報のうちのいずれか一方が記録情報の記録時に検出されない場合でも、確実に記録媒体の移動を制御することができる。
【００６２】
請求項５に記載の発明によれば、請求項１から４のいずれか一項に記載の発明の効果に加えて、記録媒体が円盤状記録媒体であると共に、移動制御情報が当該円盤状記録媒体の回転数を制御するための移動制御情報であるので、記録情報の記録における円盤状記録媒体の回転数を正確に制御することができる。
【００６３】
請求項６に記載の発明によれば、記録媒体の移動速度を制御するための移動制御情報が、情報単位内トラックの一部が予め設定された所定の周波数でウォブリングされることにより記録されており、且つ、全ての情報単位内トラックについて、相互に同じ位置におけるウォブリングの周波数が上記所定の周波数となることにより移動制御情報が記録されているので、記録情報の記録時において、当該移動制御情報を検出し、これに基づいて記録媒体の移動を制御すれば、情報単位毎の周期で正確に検出される移動制御情報に基づいて移動制御することができる。
【００６４】
従って、記録情報の記録における記録媒体の移動を正確に制御することができ、記録情報を正確且つ確実に記録することができる。
【００６５】
請求項７に記載の発明によれば、請求項６に記載の発明の効果に加えて、所定の周波数でウォブリングされている情報単位内トラック以外の情報単位内トラックのウォブリングの周波数が制御情報に対応した周波数とされることにより制御情報が記録されているので、情報単位内トラックに移動制御情報に加えて制御情報をもウォブリングにより記録されていることとなり、記録情報の記録時において、当該制御情報が情報単位毎の周期で正確に検出され、記録媒体の移動制御を正確に行いつつ記録情報の記録に必要な情報を取得することができる。
【００６６】
請求項８に記載の発明によれば、請求項７に記載の発明の効果に加えて、一の情報単位内トラックにおいて、所定の周波数でウォブリングされている情報単位内トラックの長さが一の情報単位内トラックの半分の長さであるので、上記所定の周波数でウォブリングされている情報単位内トラックの長さと、制御情報に対応した周波数でウォブリングされている情報単位内トラックの長さとが等しくなり、記録情報の記録時において移動制御情報と制御情報の双方を確実に検出することができる。
【００６７】
請求項９に記載の発明によれば、請求項７又は８に記載の発明の効果に加えて、移動制御情報及び制御情報が隣接トラック上にピットを形成することにより記録されているので、移動制御情報が情報単位内トラックをウォブリングさせること及びピットを形成することの双方により重畳して記録されていることとなり、ウォブリングにより記録された移動制御情報又はピットにより記録された移動制御情報のうちのいずれか一方が記録情報の記録時に検出されない場合でも、確実に記録媒体の移動を制御することができる。
【００６８】
請求項１０に記載の発明によれば、請求項５から９のいずれか一項に記載の発明の効果に加えて、記録媒体は円盤状記録媒体であると共に、移動制御情報は当該円盤状記録媒体の回転数を制御するための移動制御情報であるので、記録情報の記録における円盤状記録媒体の回転数を正確に制御することができる。
【００６９】
請求項１１に記載の発明によれば、情報単位内トラックの一部を所定の周波数でウォブリングさせることにより移動制御情報が記録されている記録媒体であって、全ての情報単位内トラックについて、相互に同じ位置におけるウォブリングの周波数が所定の周波数となることにより移動制御情報が記録されている記録媒体上の上記情報単位内トラックに対して光ビームを照射し、当該光ビームの反射光に基づいて再生信号を出力し、当該再生信号から移動制御情報を抽出して記録媒体を移動制御して記録情報を記録するので、記録媒体における全ての情報単位内トラックについて、相互に同じ位置におけるウォブリングの周波数が予め設定された所定の周波数となって移動制御情報が記録されており、且つ、当該移動制御情報を検出し、これに基づいて記録媒体の移動を制御することとなり、情報単位毎の周期で正確に検出される移動制御情報に基づいて記録媒体を移動制御することができる。
【００７０】
従って、記録情報の記録における記録媒体の移動を正確に制御することができ、記録情報を正確且つ確実に記録することができる。
【００７１】
請求項１２に記載の発明によれば、請求項１１に記載の発明の効果に加えて、記録媒体には、一の情報単位内トラックにおける所定の周波数でウォブリングされている情報単位内トラック以外の情報単位内トラックのウォブリングの周波数が、制御情報に対応した周波数とされることにより制御情報が記録されていると共に、抽出手段は、出力された再生信号から制御情報を抽出し、更に記録手段は、抽出された制御情報に基づいて記録情報を記録媒体に記録するので、記録情報の記録時に、移動制御情報と共に制御情報が情報単位毎の周期で正確に検出されることとなり、記録媒体の移動制御を正確に行いつつ記録情報の記録に必要な情報を取得することができる。
【００７２】
請求項１３に記載の発明によれば、請求項１２に記載の発明の効果に加えて、記録媒体上の一の情報単位内トラックにおいて、所定の周波数でウォブリングされている情報単位内トラックの長さが一の情報単位内トラックの半分の長さとされているので、上記所定の周波数でウォブリングされている情報単位内トラックの長さと制御情報に対応した周波数でウォブリングされている情報単位内トラックの長さとが等しくなり、移動制御情報と制御情報との双方を確実に検出して記録情報を記録することができる。
【００７３】
請求項１４に記載の発明によれば、請求項１２又は１３に記載の発明の効果に加えて、記録媒体には、移動制御情報及び制御情報が、記録媒体上の隣接トラック上にピットを形成することにより記録されていると共に、ピックアップ手段は、情報単位内トラック及び隣接トラックに光ビームを照射し、当該光ビームの情報単位内トラック及び隣接トラックからの反射光に基づいて再生信号を出力するので、移動制御情報が情報単位内トラックをウォブリングさせること及びピットを形成することの双方により重畳して記録されていることにより、ウォブリングにより記録された移動制御情報又はピットにより記録された移動制御情報のうちのいずれか一方が検出されない場合でも、確実に記録媒体の移動を制御して情報を記録することができる。
【００７４】
請求項１５に記載の発明によれば、請求項１１から１４のいずれか一項に記載の発明の効果に加えて、記録媒体は円盤状記録媒体であると共に、移動制御情報は、円盤状記録媒体の回転数を制御するための移動制御情報であり、更に移動手段は、駆動信号に基づいて円盤状記録媒体を回転駆動する。
【００７５】
従って、記録情報の記録における円盤状記録媒体の回転数を正確に制御することができる。
【発明を実施するための最良の形態】
【００７６】
次に本発明に好適な実施の形態について図面に基づいて説明する。
【００７７】
（Ｉ）移動制御情報記録装置及び記録媒体の実施形態
初めに、プリ情報に対応したプリピットを形成すると共にプリ情報に対応して後述のグルーブトラックをウォブリングさせることにより当該プリ情報を記録媒体としてのＤＶＤ−Ｒに記録するための本発明の移動制御情報記録装置の実施形態であるカッティング装置について、図１乃至図９を用いて説明する。なお、以下のカッティング装置の実施形態の説明においては、当該カッティング装置によりプリピットが形成されると共にグルーブトラックがウォブリングされた記録媒体としてのＤＶＤ−Ｒの実施形態についても併せて説明する。
【００７８】
初めに、図１を用いて後述の本実施形態のカッティング装置によりプリピットが形成されると共にグルーブトラックがウォブリングされているＤＶＤ−Ｒの構造について説明する。
【００７９】
図１において、ＤＶＤ−Ｒ１は色素膜５を備えた一回のみ情報の書込みが可能な色素型ＤＶＤ−Ｒであり、トラックとしてのグルーブトラック２と当該グルーブトラック２に再生光又は記録光としてのレーザビーム等の光ビームＢを誘導するための隣接トラックとしてのランドトラック３が後述のカッティング装置により形成されている。また、それらを保護するための保護膜７及び記録された情報を再生する際に光ビームＢを反射するための金蒸着膜６を備えている。そして、このランドトラック３に後述のカッティング装置によりプリ情報に対応するプリピット４が形成されている。このプリピット４はＤＶＤ−Ｒ１を出荷する前に予め形成されているものである。
【００８０】
更に、当該ＤＶＤ−Ｒ１においては、グルーブトラック２を記録すべきプリ情報に対応する周波数及び後述の所定の一定ウォブリング周波数でウォブリングさせることにより上記プリピット４と重複して同様の内容のプリ情報が記録されている。このグルーブトラック２のウォブリングによるプリ情報の記録は、上記プリピット４と同様に、後述のカッティング装置によりＤＶＤ−Ｒ１を出荷する前に予め実行されるものである。
【００８１】
そして、ＤＶＤ−Ｒ１に記録情報（プリ情報以外の本来記録すべき画像情報等の情報をいう。以下同じ。）を記録する際には、後述の情報記録装置においてこのプリピット４及びグルーブトラック２のウォブリングの周波数を検出することにより予めプリ情報を取得し、それに基づいて記録光としての光ビームＢの最適出力等が設定されると共に、記録情報を記録すべきＤＶＤ−Ｒ１上の位置であるアドレス情報等が取得され、このアドレス情報に基づいて記録情報が対応する記録位置に記録される。
【００８２】
ここで、記録情報の記録時には、光ビームＢをその中心がグルーブトラック２の中心と一致するように照射してグルーブトラック２上に記録情報に対応する記録情報ピットを形成することにより記録情報を形成する。この時、光スポットＳＰの大きさは、図１に示すように、その一部がグルーブトラック２だけでなくランドトラック３にも照射されるように設定される。そして、このランドトラック３に照射された光スポットＳＰの一部の反射光を用いて後述のプッシュプル法（ＤＶＤ−Ｒ１の回転方向に平行な分割線により分割された光検出器を用いたプッシュプル法（以下、ラジアルプッシュプル法という。））によりプリピット４からプリ情報を検出して当該プリ情報が取得されると共に、グルーブトラック２に照射されている光スポットＳＰの反射光を用いてグルーブトラック２のウォブリングの周波数からプリ情報を検出して当該プリ情報が取得される。
【００８３】
次に、本実施形態のカッティング装置により記録されるプリ情報の記録フォーマットについて、図２を用いて説明する。なお、図２において、上段は記録情報における記録フォーマットを示し、下段の波型波形は当該記録情報を記録するグルーブトラック２のウォブリング状態（グルーブトラック２の平面図）を示し、記録情報とグルーブトラック２のウォブリング状態の間の上向き矢印は、プリピット４が形成される位置を模式的に示すものである。ここで、図２においては、グルーブトラック２のウォブリング状態は、理解の容易のため実際の振幅よりも大きい振幅を用いて示してあり、記録情報は当該グルーブトラック２の中心線上に記録される。
【００８４】
図２に示すように、本実施形態においてＤＶＤ−Ｒ１に記録される記録情報は、予め情報単位としてのシンクフレーム毎に分割されている。また、２６のシンクフレームにより一のレコーディングセクタが形成され、更に、１６のレコーディングセクタにより一のＥＣＣ（Error Correcting Code）ブロックが形成される。なお、一のシンクフレームは、上記記録情報を記録する際の記録フォーマットにより規定されるビット間隔に対応する単位長さ（以下、Ｔという。）の１４８８倍（１４８８Ｔ）の長さを有しており、更に、一のシンクフレームの先頭の１４Ｔの長さの部分にはシンクフレーム毎の同期を取るための同期情報ＳＹが記録される。
【００８５】
一方、本実施形態においてＤＶＤ−Ｒ１に記録されるプリ情報は、シンクフレーム毎に記録される。ここで、プリピット４によりＤＶＤ−Ｒ１にプリ情報が記録される場合は、記録情報における夫々のシンクフレームにおける同期情報ＳＹが記録される領域に隣接するランドトラック３上に、プリ情報における同期信号を示すものとして必ず一のプリピット４が形成されると共に、当該同期情報ＳＹ以外の当該シンクフレーム内の前半部分に隣接するランドトラック３上に、記録すべきプリ情報の内容を示すものとして二又は一のプリピット４が形成される（なお、同期情報ＳＹ以外の当該シンクフレーム内の前半部分については、記録すべきプリ情報の内容によってはプリピット４が形成されない場合もある。）。この際、本実施形態においては、一のレコーディングセクタにおいては、偶数番目のシンクフレーム（以下、ＥＶＥＮフレームという。）のみ又は奇数番目のシンクフレーム（以下、ＯＤＤフレームという。）のみにプリピット４が形成されてプリ情報が記録される。すなわち、図２において、ＥＶＥＮフレームにプリピット４が形成された場合には（図２において実線上向き矢印で示す。）それに隣接するＯＤＤフレームにはプリピット４は形成されない。
【００８６】
一方、グルーブトラック２のウォブリングの周波数を変化させることによりプリ情報が記録される場合には、始めに、記録すべきプリ情報の内容に拘らず全てのシンクフレームにおける前半部分が所定の一定ウォブリング周波数（図２において、符号ｆ0で示す。）でウォブリングされ、更に、夫々のシンクフレームにおける後半部分が記録すべきプリ情報の内容に対応した周波数でウォブリングされる。この場合に、夫々のシンクフレームの後半部分のウォブリング周波数には、二通りの周波数（図２において、符号ｆ1又はｆ2で示す。）があり、記録すべきプリ情報の内容に応じて後述のように区分して使用される。また、本実施形態では、二つの隣接するシンクフレーム（一組のＥＶＥＮフレームとＯＤＤフレーム）により記録すべきプリ情報における「０」又は「１」が表現される。
【００８７】
次に、図２に示すプリピット４及びグルーブトラック２を図２に示す形態で図１に示す形状に形成するための本実施形態に係るカッティング装置について、図３乃至図９を用いて説明する。
【００８８】
初めに、実施形態に係るカッティング装置の構成について図３乃至図６を用いて説明する。なお、図３乃至図６に示すカッティング装置は、本発明によりプリピット４及びウォブリングするグルーブトラック２が形成されてプリ情報が記録されたＤＶＤ−Ｒ１を大量生産するためのスタンパディスクを製作するためのものである。
【００８９】
先ず、カッティング装置の全体構成について、図３を用いて説明する。
【００９０】
図３に示すように、実施形態のカッティング装置Ｃは、記録すべきプリ情報ＳPPを生成するデータ発生部２０と、プリ情報ＳPPをパラレル／シリアル変換するパラレル／シリアル変換器２１と、本発明の特徴であり、プリ情報ＳPPに基づき、図２に示すフォーマットでプリピット４及びグルーブトラック２を形成するための記録プリ情報ＳR及び後述のウォブリング信号ＳWを生成する特定ウォブリング信号生成手段、制御ウォブリング信号生成手段及びピット形成信号生成手段としてのプリフォーマット用エンコーダ２２と、プリフォーマット用エンコーダ２２に対してプリフォーマッティングに使用するクロック信号ＣＬＫ（周期は上記Ｔとされている。）を出力するクロック信号発生部２３と、ＤＶＤ−Ｒ１の基板に対して図１に示すグルーブトラック２をウォブリングさせつつ形成するための光ビームＬGを出射すると共に、図１に示すランドトラック３及びプリピット４を形成するための光ビームＬLを出射するレーザ発生装置２４と、出射された光ビームＬL又はＬGを記録プリ情報ＳRに基づいて変調する光変調器２５と、光ビームＬG及びＬLをスタンパディスク上に集光する対物レンズ２６と、スタンパディスクを回転させるスピンドルモータ２９と、スタンパディスクの回転数を検出する回転検出器３０と、検出された回転数に基づいて、スタンパディスクの回転をサーボ制御すると共に、スタンパディスクの一回転に一回の一回転検出信号ＳSをプリフォーマット用エンコーダ２２に出力する回転サーボ回路３１と、螺旋状のグルーブトラック２及びランドトラック３を形成するために、スタンパディスクの回転に対応してスピンドルモータ２９及びスタンパディスクを当該スタンパディスクの半径方向に送る送りユニット３２と、送りユニット３２の位置を検出する位置検出器３３と、検出された送りユニット３２の位置に基づいて送りユニットの移動をサーボ制御する送りサーボ回路３４と、後述のウォブリング信号ＳWに基づいて光ビームＬGをスタンパディスクの半径方向に振動させ、上記ウォブリングするグルーブトラック２を形成するための電磁石３５と、光変調器２５に固定され、当該電磁石３５との磁気的相互作用により実際に光変調器２５をスタンパディスクの半径方向に振動させて光ビームＬGを振動させることによりウォブリングするグルーブトラック２を形成するための永久磁石３６とにより構成されている。ここで、レーザ発生装置２４は、光ビームＬGを出射する出射装置２４Gと、光ビームＬLを出射する出射装置２４Lとにより構成される。そして、光ビームＬLは光変調器２５により記録プリ情報ＳRに基づいて変調されるが、光ビームＬGは図示しないＤＣ（直流）駆動装置により常に一定の強度を保ちつつ且つスタンパディスクの半径方向に振動しながら当該スタンパディスクに照射される。更に、ランドトラック３を形成する光ビームＬLとグルーブトラック２を形成する光ビームＬGは、照射位置をスタンパディスクの半径方向にずらしつつ照射され、同心螺旋状のランドトラック３とグルーブトラック２を同時に形成していく。
【００９１】
一方、スタンパディスクは、スタンパディスク本体としてのガラス基盤２７と、ガラス基盤上にコーティングされたプリピット４及び各トラックを形成するためのレジスト（感光材）２８とにより構成されている。
【００９２】
なお、以上の構成において、レーザ発生装置２４、光変調器２５及び対物レンズ２６により記録手段を構成している。
【００９３】
次に、プリフォーマット用エンコーダ２２の細部構成について、図４を用いて説明する。
【００９４】
図４に示すように、プリフォーマット用エンコーダ２２は、入力されたクロック信号ＣＬＫに基づいて、図２に示す各シンクフレームに対応するタイミングにおいて、ＥＶＥＮフレームに対応するＥＶＥＮフレーム信号ＳEと、ＯＤＤフレームに対応するＯＤＤフレーム信号ＳOを出力すると共に、一のＥＶＥＮフレームに対応するＥＶＥＮフレーム信号ＳEが発生する度にリセットされる後述のＥＶＥＮフレームカウンタから出力されるＥＶＥＮフレームカウント信号ＳECを出力し、更に、夫々のレコーディングセクタの先頭を示す先頭フレーム信号ＳHを出力するフレーム信号発生器４０と、クロック信号ＣＬＫ及び一回転検出信号ＳSに基づいてスタンパディスクにおける一周に対応する期間に記録するプリピット４を形成すべきシンクフレームを、ＥＶＥＮフレームとするか又はＯＤＤフレームとするかの判別のためのゲート信号ＳGを出力するＯＤＤ・ＥＶＥＮ判定用ゲート信号発生器４１と、ＥＶＥＮフレーム信号ＳE、ゲート信号ＳG及び一回転検出信号ＳSに基づいて、プリピット４を形成すべきシンクフレームをＥＶＥＮフレームとするか或はＯＤＤフレームとするかを判定するための判定信号ＳJを出力する判定器４２と、先頭フレーム信号ＳH、ＥＶＥＮフレーム信号ＳE、ＯＤＤフレーム信号ＳO、クロック信号ＣＬＫ及びプリ情報ＳPPに基づいて、記録情報のＥＶＥＮフレームに対応したプリピット４を形成するための偶数記録プリ情報ＳRE及び記録情報のＯＤＤフレームに対応したプリピット４を形成するための奇数記録プリ情報ＳROを出力する記録プリ情報発生器４４と、判定信号ＳJに基づいて、偶数記録プリ情報ＳRE又は奇数記録プリ情報ＳROを選択的に切り換えて出力するスイッチ４３と、ＥＶＥＮフレーム信号ＳEを初期化信号として用いることにより初期化されつつクロック信号ＣＬＫに含まれるクロック信号をカウントし、シンクフレームの先頭及びその半分のクロック数となる度にカウント信号ＳCを出力するカウンタ４５と、カウント信号ＳC及びプリ情報ＳPPに基づいて、シンクフレームの前半に対応するグルーブトラック２を上記所定の一定ウォブリング周波数ｆ0によりウォブリングさせるための予め記憶されているウォブリング信号ＳW（ディジタル信号）又はシンクフレームの後半に対応するグルーブトラック２を上記プリ情報ＳPPに対応する周波数ｆ1又はｆ2によりウォブリングさせるための予め記憶されているウォブリング信号ＳW（ディジタル信号）を出力するＲＯＭ（Read Only Memory）４６と、出力されたウォブリング信号ＳWを光変調器２５を振動させるためのアナログ信号であるウォブリング信号ＳWに変換するためのＤ／Ａ変換器４７とにより構成されている。なお、上記の構成において、スイッチ４３は、通常は偶数記録プリ情報ＳRE側に切り換えられている。
【００９５】
次に、フレーム信号発生器４０及びＯＤＤ・ＥＶＥＮ判定用ゲート信号発生器４１の細部構成について、図５を用いて説明する。
【００９６】
図５に示すように、フレーム信号発生器４０は、クロック信号ＣＬＫに基づいて、ＯＤＤフレーム信号ＳOを発生すべきタイミングからの経過時間を計時してＯＤＤフレームカウント信号ＳOCを出力するＯＤＤフレーム用カウンタ５０と、クロック信号ＣＬＫに基づいて、ＥＶＥＮフレーム信号ＳEを発生すべきタイミングからの経過時間を計時してＥＶＥＮフレームカウント信号ＳECを出力するＥＶＥＮフレーム用カウンタ５１と、ＯＤＤフレーム用カウンタ５０から出力されたＯＤＤフレームカウント信号ＳOCに基づいて、次のＯＤＤフレーム信号ＳOを出力すべき時間になったとき、長さ２ＴのパルスをＯＤＤフレーム信号ＳOとして出力するデコーダ５２と、ＥＶＥＮフレーム用カウンタ５１から出力されたＥＶＥＮフレームカウント信号ＳECに基づいて、次のＥＶＥＮフレーム信号ＳEを出力すべき時間になったとき、長さ２ＴのパルスをＥＶＥＮフレーム信号ＳEとして出力するデコーダ５３と、ＥＶＥＮフレーム信号ＳEをカウントし、１３個目のＥＶＥＮフレーム信号ＳEが出力される度にレコーディングセクタの境界であるとしてカウント信号ＳCCを出力するカウンタ５４と、カウント信号ＳCCに基づいてレコーディングセクタの先頭を示す先頭フレーム信号ＳHを出力するデコーダ５５とにより構成されている。
【００９７】
一方、図５に示すように、ＯＤＤ・ＥＶＥＮ判定用ゲート信号発生器４１は、ＥＶＥＮフレームカウント信号ＳEC及び一回転検出信号ＳSに基づいて、一の一回転検出信号ＳSが入力される度に（換言すれば、スタンパディスクが一回転する度に）、そのときのＥＶＥＮフレームカウント信号ＳECの値をラッチするラッチ回路６０と、クロック信号ＣＬＫ及び一回転検出信号ＳSに基づいて、上記のＥＶＥＮフレーム用カウンタ５１と同じ値及び周期でリセットされつつ計時すると共に、一回転検出信号ＳSが入力される度に、その値がラッチ回路６０に記録されている値に更新されるゲート用カウント信号ＳGCを出力するゲート用カウンタ６１と、ゲート用カウント信号ＳGCに基づいて、ゲート用カウンタ６１の値が最大値となってリセットされる度に所定の長さのゲート信号ＳGを出力するモノマルチバイブレータ６２とにより構成されている。
【００９８】
次に、上記記録プリ情報発生器４４の構成について、図６（ａ）を用いて説明する。
【００９９】
図６（ａ）に示すように、記録プリ情報発生器４４は、ＥＶＥＮフレーム信号ＳE及びクロック信号ＣＬＫに基づいて、上記偶数記録プリ情報ＳREを出力するＥＶＥＮ部４４Ｅと、ＯＤＤフレーム信号ＳO及びクロック信号ＣＬＫに基づいて、上記奇数記録プリ情報ＳROを出力するＯＤＤ部４４Ｏとにより構成されている。
【０１００】
この内、ＥＶＥＮ部４４Ｅは、ＥＶＥＮフレーム信号ＳE及びクロック信号ＣＬＫに基づいて、ＥＶＥＮフレームにおける夫々のプリピット４（ランドトラック３におけるＥＶＥＮフレーム内の同期信号ＳＹ（図２参照）の領域に形成されるべき一のプリピット４並びに同期信号ＳＹ以外の領域に形成されるべきその他のプリピット４）を形成すべきタイミングを示すタイミング信号ＳB0（ランドトラック３におけるＥＶＥＮフレーム内の同期信号ＳＹの領域に形成されるべき一のプリピット４に対応する。）及びタイミング信号ＳB1、ＳB2（同期信号ＳＹ以外のＥＶＥＮフレーム内の領域に形成されるべきその他のプリピット４に対応する。）を出力するビットタイミング発生器６５と、夫々に図６（ａ）に示す構成で上記タイミング信号ＳB0、ＳB1及びＳB2、プリ情報ＳPP及び先頭フレーム信号ＳHが入力され、最終的に上記偶数記録プリ情報ＳREを出力するＯＲ回路６９、ＡＮＤ回路６６、６８並びにＯＲ回路６７により構成されている。
【０１０１】
一方、ＯＤＤ部４４Ｏは、ＯＤＤフレーム信号ＳO及びクロック信号ＣＬＫに基づいて、ＯＤＤフレームにおける夫々のプリピット４（ランドトラック３におけるＯＤＤフレーム内の同期信号ＳＹ（図２参照）の領域に形成されるべき一のプリピット４並びに同期信号ＳＹ以外の領域に形成されるべきその他のプリピット４）を形成すべきタイミングを示すタイミング信号ＳB0（ランドトラック３におけるＯＤＤフレーム内の同期信号ＳＹの領域に形成されるべき一のプリピット４に対応する。）及びタイミング信号ＳB1、ＳB2（同期信号ＳＹ以外のＯＤＤフレーム内の領域に形成されるべきその他のプリピット４に対応する。）を出力するビットタイミング発生器７０と、夫々に図６（ａ）に示す構成で上記タイミング信号ＳB0、ＳB1及びＳB2、プリ情報ＳPP及び先頭フレーム信号ＳHが入力され、最終的に上記奇数記録プリ情報ＳROを出力するＡＮＤ回路７１、７２及びＯＲ回路７３により構成されている。
【０１０２】
次に、上記記録プリ情報発生器４４におけるビットタイミング発生器６５又は７０の構成について、図６（ｂ）を用いて説明する。なお、ビットタイミング発生器６５とビットタイミング発生器７０とは基本的に同様の構成を備えている。
【０１０３】
図６（ｂ）に示すように、ビットタイミング発生器６５（７０）は、クロック信号ＣＬＫ及びＥＶＥＮフレーム信号ＳE（又はＯＤＤフレーム信号ＳO）に基づいて、夫々のフレーム信号におけるパルスにより初期化されると共に、クロック信号ＣＬＫにおけるクロックの内、各フレーム信号のパルスから７番目のクロックのタイミングと、各フレーム信号のパルスから１９３番目のクロックのタイミングと、各フレーム信号のパルスから３７９番目のクロックのタイミングと、において夫々カウント信号ＳCCCを出力するカウンタ７４と、カウント信号ＳCCCに基づいて、各フレーム信号のパルスから７番目のクロックのタイミングで上記タイミング信号ＳB0を出力し、各フレーム信号のパルスから１９３番目のクロックのタイミングで上記タイミング信号ＳB1を出力し、各フレーム信号のパルスから３７９番目のクロックのタイミングで上記タイミング信号ＳB2を出力するデコーダ７５とにより構成されている。
【０１０４】
以上の構成を有するカッティング装置Ｃについて、次に、その動作を図７乃至図９に示すタイミングチャートを用いて説明する。
【０１０５】
初めに、図７（ａ）を用いて、ＯＤＤフレーム信号ＳO、ＥＶＥＮフレーム信号ＳE、先頭フレーム信号ＳH及びＥＶＥＮフレームカウント信号ＳECを生成するフレーム信号発生器４０の動作について説明する。
【０１０６】
図７（ａ）に示すように、各シンクフレームを示すフレーム信号が一シンクフレームの長さ１４８８Ｔの間隔でパルスが発生しているのに対し、ＯＤＤフレーム信号ＳOにおいては、第１番目のシンクフレームに対応するタイミングからフレーム信号の２倍の間隔で夫々２Ｔの長さのパルスが発生する。このＯＤＤフレーム信号ＳOのパルスは、ＯＤＤフレーム用カウンタ５０において、第１番目のシンクフレームのタイミングから２９７６Ｔ（＝１４８８Ｔ×２）に対応する時間を計時し、この時間が経過する度に、デコーダ５２において長さ２Ｔのパルスを発生することを繰返すことにより連続して発生される。
【０１０７】
一方、ＥＶＥＮフレーム信号ＳEにおいては、第０番目のシンクフレームに対応するタイミングからフレーム信号の２倍の間隔で夫々２Ｔの長さのパルスが発生する。このＥＶＥＮフレーム信号ＳEは、ＯＤＤフレーム信号ＳOの場合と同様に、ＥＶＥＮフレーム用カウンタ５１において、第０番目のシンクフレームのタイミングから２９７６Ｔに対応する時間を計時し、この時間が経過する度に、デコーダ５３において長さ２Ｔのパルスを発生することを繰返すことにより連続して発生される。なお、このとき、ＥＶＥＮフレーム用カウンタ５１が出力するＥＶＥＮフレーム用カウント信号ＳECは、ＯＤＤ・ＥＶＥＮ判定用ゲート信号発生器４１内のラッチ回路６０に出力されている。
【０１０８】
更に、先頭フレーム信号ＳHにおいては、第０番目のシンクフレームに対応するタイミングからフレーム信号の２倍の長さ（２９７６Ｔ）に対応するパルスが発生する。この先頭フレーム信号ＳHの発生については、先ず、第０番目のシンクフレームに対応するＥＶＥＮフレーム信号ＳEのタイミングにおいてカウンタ５４からカウント信号ＳCCを出力すると共に当該ＥＶＥＮフレーム信号ＳEのカウントを開始し、当該カウント信号ＳCCを受けたデコーダ５５においてカウント信号ＳCCをトリガとして“Ｈ”となりその後２９７６Ｔの間“Ｈ”の値を維持する信号を生成することにより、上記先頭フレーム信号ＳHが発生される。なお、カウンタ５４においては、カウント信号ＳCCを出力した後もＥＶＥＮフレーム信号ＳEのカウントを継続し、１３個のＥＶＥＮフレーム信号ＳEのパルスをカウントしたタイミングで次のカウント信号ＳCCを出力する。これにより、常に一のレコーディングセクタ毎にレコーディングセクタの先頭のタイミングから２９７６Ｔの長さのパルスを有する先頭フレーム信号ＳHが出力されることとなる。
【０１０９】
次に、フレーム信号発生器４０からの上記ＥＶＥＮフレーム信号ＳE、ＯＤＤフレーム信号ＳO及び先頭フレーム信号ＳH、クロック信号ＣＬＫ並びにプリ情報ＳPPを用いた記録プリ情報発生器４４の動作について、図４、図６及び図８を用いて説明する。
【０１１０】
先ず、当該記録プリ情報発生器４４に対しては、図８に示すタイミングで、ＥＶＥＮフレーム信号ＳE、ＯＤＤフレーム信号ＳO、先頭フレーム信号ＳH及びクロック信号ＣＬＫが入力されている。このとき、ＥＶＥＮフレーム信号ＳE及びＯＤＤフレーム信号ＳOについては、２シンクフレーム毎に常に夫々のパルスが入力されている。
【０１１１】
そして、当該ＥＶＥＮフレーム信号ＳE、ＯＤＤフレーム信号ＳO、先頭フレーム信号ＳH及びクロック信号ＣＬＫが入力されたビットタイミング発生器６５及び７０（カウンタ７４及びデコーダ７５を夫々含む。）は、ＥＶＥＮフレーム信号ＳE又はＯＤＤフレーム信号ＳOにおけるパルスをトリガ信号としてクロック信号ＣＬＫのカウントを開始し、ＥＶＥＮフレーム信号ＳE又はＯＤＤフレーム信号ＳOのパルスが入力されたタイミングから７クロック目、１９３クロック目及び３７９クロック目において、夫々上記タイミング信号ＳB0、タイミング信号ＳB1及びタイミング信号ＳB2を出力する。このときビットタイミング発生器６５は、ＥＶＥＮフレーム信号ＳEをトリガ信号として上記タイミング信号ＳB0、タイミング信号ＳB1及びタイミング信号ＳB2を出力し、ビットタイミング発生器７０は、ＯＤＤフレーム信号ＳOをトリガ信号として上記タイミング信号ＳB0、タイミング信号ＳB1及びタイミング信号ＳB2を出力することとなる。
【０１１２】
なお、上記タイミング信号ＳB0を各フレーム信号から７クロック目に出力するのは、当該タイミング信号ＳB0に対応して形成されるプリピット４（一のシンクフレームにおける最初のプリピット４。以下、プリピットＢ0という。）を、記録情報における同期情報ＳＹが記録される範囲内（各フレーム信号のタイミングから１４Ｔの間）に形成して、これをプリピット４により記録されるプリ情報ＳPPにおける同期信号（シンクフレーム内の先頭を示す信号）とするべく、各フレーム信号のタイミングから７Ｔ（７クロック目）に相当する位置にプリピットＢ0を形成するためである。
【０１１３】
また、上記タイミング信号ＳB1及びＳB2を各フレーム信号から夫々１９３クロック目及び３７９クロック目に出力する理由については、本実施形態のＤＶＤ−Ｒ１においては、ディジタル情報ＳRRの記録におけるプリ情報ＳPP検出時の位相同期を取り易くするため、グルーブトラック２のウォブリングによるプリ情報ＳPPの記録とプリピット４によるプリ情報ＳPPの記録について、後述のように当該ウォブリングの最大振幅の位置にプリピット４を形成することとしている。このとき、プリ情報ＳPPに無関係な上述の所定の一定ウォブリング周波数は、記録情報の記録時に当該一定ウォブリング周波数を容易に検出できるようにするため、一のシンクフレームに８波分のウォブリングが入るだけの周波数（１４０ｋＨｚ）とされている。よって、この一定ウォブリング周波数のウォブリングに合わせて一のシンクフレームにおける第２及び第３のプリピット４（以下、夫々をプリピットＢ1及びＢ2という。）を形成するためには、プリピットＢ0から１８６Ｔ（１４８８Ｔ÷８）分ずつ離れて当該プリピットＢ1及びＢ2に対応する上記タイミング信号ＳB1及びタイミング信号ＳB2を出力する必要があるので、当該夫々のタイミング信号ＳB1及びＳB2の間隔も１８６Ｔとされている。これらの理由により、タイミング信号ＳB1は各フレーム信号から１９３Ｔ（７＋１８６）目に出力され、タイミング信号ＳB2は各フレーム信号から３７９Ｔ（７＋１８６×２）目に出力されるのである。
【０１１４】
次に、ＥＶＥＮフレーム信号ＳEに基づいてビットタイミング発生器６５から出力されたタイミング信号ＳB0はそのままＯＲ回路６７に入力され、タイミング信号ＳB1はＡＮＤ回路６６に入力される。そして、当該ＡＮＤ回路６６の他方の入力端子には先頭フレーム信号ＳHが入力される。一方、タイミング信号ＳB2はＡＮＤ回路６８に入力されている。そして、当該ＡＮＤ回路６８の他方の入力端子には、プリ情報ＳPPと先頭フレーム信号ＳHが入力されているＯＲ回路６９の出力信号が入力されている。そして、最終的にＡＮＤ回路６６の出力信号とＡＮＤ回路６８の出力信号とが夫々ＯＲ回路６７の他の二つの入力端子に入力される。従って、ＯＲ回路６７の出力信号である偶数記録プリ情報ＳREについては、一のレコーディングセクタの先頭のシンクフレームの間では、上記各タイミング信号ＳB0、ＳB1及びＳB2に基づいて、図８下から４段目に示す偶数記録プリ情報ＳREが出力される（なお、本実施形態においては、一のレコーディングセクタの先頭のシンクフレームの間に対応するプリ情報ＳPPは「０」に対応するプリ情報ＳPPとされることが予め設定されている。）。一方、一のレコーディングセクタの先頭シンクフレーム以外のシンクフレームの間では、上記各タイミング信号ＳB0、ＳB1及びＳB2に基づいて、「０」に対応するプリ情報ＳPPについては、図８下から２段目に示す偶数記録プリ情報ＳREが出力され、「１」に対応するプリ情報ＳPPについては、図８最下段に示す偶数記録プリ情報ＳREが出力される。
【０１１５】
また、ＯＤＤフレーム信号ＳOに基づいてビットタイミング発生器７０から出力されたタイミング信号ＳB0はそのままＯＲ回路７３に入力され、タイミング信号ＳB1はＡＮＤ回路７１に入力される。そして、当該ＡＮＤ回路７１の他方の入力端子には先頭フレーム信号ＳHが入力される。一方、タイミング信号ＳB2はＡＮＤ回路７２に入力されている。そして、当該ＡＮＤ回路７２の他方の入力端子には、プリ情報ＳPPが入力されている。そして、最終的にＡＮＤ回路５６の出力信号とＡＮＤ回路７２の出力信号とが夫々ＯＲ回路７３の他の二つの入力端子に入力される。従って、ＯＲ回路７３の出力信号である奇数記録プリ情報ＳROについては、一のレコーディングセクタの先頭のシンクフレームの間では、上記各タイミング信号ＳB0、ＳB1及びＳB2に基づいて、図８下から３段目に示す奇数記録プリ情報ＳROが出力される。一方、一のレコーディングセクタの先頭シンクフレーム以外のシンクフレームの間では、上記各タイミング信号ＳB0、ＳB1及びＳB2に基づいて、「０」に対応するプリ情報ＳPPについては、偶数記録プリ情報ＳREと同様の図８下から２段目に示す奇数記録プリ情報ＳROが出力され、「１」に対応するプリ情報ＳPPについても、偶数記録プリ情報ＳREと同様の図８最下段に示す奇数記録プリ情報ＳROが出力される。
【０１１６】
次に、図５及び図９を用いて、ＯＤＤ・ＥＶＥＮ判定用ゲート信号発生器４１の動作を説明する。
【０１１７】
図９に示すように、フレーム信号発生器４０において、フレーム信号に対応してＥＶＥＮフレーム信号ＳEを生成するためのＥＶＥＮフレーム用カウント信号ＳECが生成されると、ラッチ回路６０は、一回転検出信号ＳSが入力されるタイミングにおけるＥＶＥＮフレーム用カウント信号ＳECの値をラッチ（記憶）する。
【０１１８】
このとき、ゲート用カウンタ６１は、クロック信号ＣＬＫに基づいてＥＶＥＮフレーム用カウンタ５１と同じ値及び周期でリセットされつつ計時しているが、一の一回転検出信号ＳSが入力される度にそのときのラッチ回路６０に記憶されている値に更新され、その値から計時することを繰返す。すなわち、ゲート用カウンタ６１は、スタンパディスクにおける一回転前のＥＶＥＮフレーム用カウンタ５１と同じ動作を当該一回転の直後の一回転において繰返すこととなる。換言すれば、ゲート用カウンタ６１の出力値には、一回転前のＥＶＥＮフレームに記録されたプリピット４の位置情報が含まれていることとなる。
【０１１９】
そして、このゲート用カウンタ６１の出力値が最大値となってリセットされる度にモノマルチバイブレータ６２がゲート信号ＳGとしてのパルス信号を生成する。従って、このゲート信号ＳGにも一回転前のＥＶＥＮフレームに記録されたプリピット４の位置情報が含まれていることとなる。このゲート信号ＳGのパルス幅としては、同期プリ情報の長さ１４Ｔに、スタンパディスク一回転分に相当するランドトラック３の長さにおけるスタンパディスクが一回転することによって増加する増加分Δ（より具体的には、Δ＝２×π×（ランドトラック３相互間のトラックピッチ））に相当する長さを加えた、（１４Ｔ＋Δ）のパルス幅とされる。
【０１２０】
次に、判定器４２の動作について、図７（ｂ）を用いて説明する。
【０１２１】
図７（ｂ）に示すように、判定器４２においては、ＥＶＥＮフレーム信号ＳEがゲート信号ＳGの範囲内にある場合に、そのＥＶＥＮフレーム信号ＳEの立上がりタイミングにおいて、通常は偶数記録プリ情報ＳRE側に切り換わっているスイッチ４３を奇数記録プリ情報ＳRO側に切り換えるべく、図７（ｂ）に示すような判定信号ＳJを出力し、これにより記録プリ情報発生器４４からの奇数記録プリ情報ＳROがスイッチ４３を介して記録プリ情報ＳRとして出力される。
【０１２２】
従って、通常は、記録プリ情報発生器４４からの偶数記録プリ情報ＳREがスイッチ４３を介して出力されることにより、当該偶数記録プリ情報ＳREに基づき、ＥＶＥＮフレームの位置にプリピット４が形成されてプリ情報ＳPPが記録されることとなるが、判定器４２において、ＥＶＥＮフレーム信号ＳEがゲート信号ＳGの範囲内に入った場合、すなわち、スタンパディスクにある回転の一回転前のプリピット４（プリピットＢ0、Ｂ1及びＢ2）の位置（ゲート信号ＳGにその情報が含まれている。）が当該回転におけるプリピットの位置（ＥＶＥＮフレームの位置）に近い（一回転前のプリピット４の位置に対して（１４Ｔ＋Δ）の範囲に入っている）場合には、スイッチ４３を奇数記録プリ情報ＳRO側に切り換えるべく判定信号ＳJが出力され、当該回転におけるプリピット４はＯＤＤフレームの位置に形成されることとなる。
【０１２３】
そして、ＯＤＤフレームの位置にプリピット４が記録されている状態で一回転したことが一回転検出信号ＳSにより検出されると、その後の回転においては、再びＥＶＥＮフレームの位置にプリピット４を形成すべく、スイッチ４３を偶数記録プリ情報ＳRE側に切り換えるための判定信号ＳJが判定器４２から出力され、これにより、当該偶数記録プリ情報ＳREが記録プリ情報ＳRとして出力される。
【０１２４】
次に、上記ウォブリング信号ＳWを生成するためのカウンタ４５、ＲＯＭ４６及びＤ／Ａ変換器４７の動作について、図４及び図２を用いて説明する。
【０１２５】
始めに、カウンタ４５は、入力されているＥＶＥＮフレーム信号ＳEを初期化信号として、当該ＥＶＥＮフレーム信号ＳEが入力される度に初期化されつつクロック信号ＣＬＫのクロック数をカウントし、その計数値をカウント信号ＳCとして出力する。
【０１２６】
そして、上記カウント信号ＳC及びプリ情報ＳPPは、ＲＯＭ４６におけるアドレスデータとして入力され、これによりＲＯＭ４６は、当該カウント信号ＳC及びプリ情報ＳPPの内容に対応して予め設定され当該ＲＯＭ４７内にテーブル化されて記憶されている出力値をウォブリング信号ＳW（ディジタル値）として出力する。
【０１２７】
ここで、本実施形態においては、上記一定ウォブリング周波数ｆ0は、１４０ｋＨｚ（一のシンクフレーム内に８波分のウォブリングが入る周波数）とされ、上記周波数ｆ1及びｆ2は夫々１０５ｋＨｚ（１４０ｋＨｚ×（３／４）。すなわち一のシンクフレームの半分の領域に３波分のウォブリングが入る周波数）及び１７５ｋＨｚ（１４０ｋＨｚ×（５／４）。すなわち一のシンクフレームの半分の領域に５波分のウォブリングが入る周波数）とされることが予め設定されている。夫々のウォブリング周波数をこのように設定したのは、上述のように夫々のウォブリング周波数でウォブリングされているグルーブトラック２の全てのウォブリング周波数を、記録情報の記録時に確実に検出するためであり、また、夫々のシンクフレーム内における異なるウォブリング周波数の領域相互の接続をスムーズにするため、すなわち、異なるウォブリング周波数の領域に移行する際にグルーブトラック２の形状の連続性を保ちつつ移行するためでもある。そして、一のＥＶＥＮフレームとそれに続くＯＤＤフレームにおけるグルーブトラック２のウォブリング周波数と上記各プリピット４（プリピットＢ0、Ｂ1及びＢ2）の有無の関係は、当該一のＥＶＥＮフレームがレコーディングセクタの先頭であるか否か、及び当該一のＥＶＥＮフレームとそれに続くＯＤＤフレームに記録すべきプリ情報の内容に対応して以下の表１に示すように設定されている。
【０１２８】
【表１】
2005149720.tif 000003
この表において、プリピットの有無の欄の「有」は対応するプリピット４が形成されることを示し、「無」は対応するプリピット４が形成されないことを示しており、夫々の「有」、「無」の組合わせは、図８下から４段目乃至最下段に示す偶数記録プリ情報ＳRE又は奇数記録プリ情報ＳROの波形に対応している。すなわち、レコーディングセクタの先頭のシンクフレームにおいては、それがＥＶＥＮフレームである場合には図８下から４段目に示す偶数記録プリ情報ＳREに対応して全てのプリピット４（プリピットＢ0、Ｂ1及びＢ2）が形成され、レコーディングセクタの先頭のシンクフレームがＯＤＤフレームである場合には図８下から３段目に示す奇数記録プリ情報ＳROに対応してプリピットＢ0及びＢ1のみが形成され、レコーディングセクタの先頭以外のシンクフレームにおいては、当該シンクフレームに記録すべきプリ情報ＳPPが「１」のときには、図８最下段に示す偶数記録プリ情報ＳRE（又は奇数記録プリ情報ＳRO）に対応してプリピットＢ0及びＢ2のみが形成され、レコーディングセクタの先頭以外のシンクフレームに記録すべきプリ情報ＳPPが「０」のときには、図８下から２段目に示す偶数記録プリ情報ＳRE（又は奇数記録プリ情報ＳRO）に対応してプリピットＢ0のみが形成される。
【０１２９】
また、グルーブトラック２のウォブリング周波数については、レコーディングセクタの先頭のシンクフレームにおいては、それがＥＶＥＮフレームである場合には当該ＥＶＥＮフレームの前半のウォブリング周波数がｆ0（１４０ｋＨｚ）、後半のウォブリング周波数がｆ2（１７５ｋＨｚ）、当該ＥＶＥＮフレームの次のＯＤＤフレームの前半のウォブリング周波数がｆ0（１４０ｋＨｚ）、後半のウォブリング周波数がｆ1（１０５ｋＨｚ）とされる。更に、レコーディングセクタの先頭のシンクフレームがＯＤＤフレームである場合には、当該ＯＤＤフレームの前半のウォブリング周波数がｆ0、後半のウォブリング周波数がｆ1、当該ＯＤＤフレームの次のＥＶＥＮフレームの前半のウォブリング周波数がｆ0、後半のウォブリング周波数がｆ2とされる。また、レコーディングセクタの先頭以外のシンクフレームにおいて、当該シンクフレームに記録すべきプリ情報ＳPPが「１」のときには、当該シンクフレームの内、第１のシンクフレーム（ＥＶＥＮフレーム又はＯＤＤフレームに拘らず）の前半のウォブリング周波数がｆ0、後半のウォブリング周波数がｆ2、第２のシンクフレームの前半のウォブリング周波数がｆ0、後半のウォブリング周波数がｆ1とされる。更にまた、レコーディングセクタの先頭以外のシンクフレームにおいて、当該シンクフレームに記録すべきプリ情報ＳPPが「０」のときには、当該シンクフレームの内、第１のシンクフレーム（ＥＶＥＮフレーム又はＯＤＤフレームに拘らず）の前半のウォブリング周波数がｆ0、後半のウォブリング周波数がｆ1、第２のシンクフレームの前半のウォブリング周波数がｆ0、後半のウォブリング周波数がｆ2とされる。このようにウォブリング周波数を組合わせることにより、後述の情報記録装置において、夫々のシンクフレームにおけるウォブリング周波数ｆ0の部分を移動制御情報として検出することでスピンドルモータの回転制御のための信号が検出されると共に、更にウォブリング周波数ｆ1又はｆ2の部分を制御情報として検出することでその組合わせによりプリ情報ＳPP（本実施形態においては、二つのシンクフレームで一のプリ情報ＳPPが記録されることとなる。）が検出される。
【０１３０】
そして、グルーブトラック２のウォブリング周波数を表１に示す組合わせとするべく上記ウォブリング信号ＳWを出力するためのテーブルがＲＯＭ４７に記憶されており、上記カウント信号ＳC及びプリ情報ＳPPに基づいて当該テーブルの内容をウォブリング信号ＳWとして出力する。なお、具体的なＲＯＭ４７における記憶の形態としては、例えば、プリ情報ＳPPをアドレスデータにおけるＭＳＢ（Most Significant Bit）とし、カウント信号ＳCをアドレスデータにおけるＭＳＢ以外の桁（２ＳＢ、３ＳＢ……ＬＳＢ）として使用し、ＲＯＭ４７内のアドレス「００００」から「０ＦＦＦ」に二つのシンクフレームについての「ｆ0」−「ｆ1」−「ｆ0」−「ｆ2」というデータを記憶しておき、アドレス「１０００」から「１ＦＦＦ」に二つのシンクフレームについての「ｆ0」−「ｆ2」−「ｆ0」−「ｆ1」というデータを記憶しておき、入力されるプリ情報ＳPPとカウンタ信号ＳCに基づいてこれらのうちのいずれかをウォブリング信号ＳWとして読み出せばよい。
【０１３１】
より具体的には、例えば、プリ情報ＳPPが「０」の場合、カウンタ４５のカウント値が「０」、「７４４」、「１４８８」及び「２２３２」のときに、夫々の値に対応するカウント信号ＳCを出力する。これは、カウント値が「０」（ＥＶＥＮフレームの先頭）から「７４４」（ＥＶＥＮフレームの半分の位置）までの間と「１４８８」（ＯＤＤフレームの先頭）から「２２３２」（ＯＤＤフレームの半分の位置）までの間におけるグルーブトラック２のウォブリング周波数を図２に示すように一定ウォブリング周波数ｆ0とすると共に、カウント値が「７４４」から「１４８８」の間におけるグルーブトラック２のウォブリング周波数を例えば図２に示す周波数ｆ1とし、更にカウント値が「２２３２」から次に初期化されるまでの間におけるグルーブトラック２のウォブリング周波数を例えば図２に示す周波数ｆ2とするデータが記憶されるのである。
【０１３２】
なお、プリ情報ＳPPが「１」の場合には、カウンタ４５のカウント値が「７４４」から「１４８８」の間におけるウォブリング周波数をｆ2とし、カウント値が「２２３２」から次に初期化されるまでの間におけるウォブリング周波数をｆ1とするデータが記憶されている。
【０１３３】
この後、当該ウォブリング信号ＳWがＤ／Ａ変換器４７によりアナログ信号に変換され、当該アナログ信号に変換されたウォブリング信号ＳWに基づく電磁石３５と永久磁石３６の動作により、光変調器２５がスタンパディスクの半径方向に移動（振動）され、これにより、所望の周波数でウォブリングするグルーブトラック２が形成されると共に、シンクフレームの先頭にプリピット４が形成されることとなる。また、同時に、ウォブリング周波数ｆ0の部分における最大振幅の位置にプリピット４が形成されることとなる。
【０１３４】
以上説明した本実施形態のカッティング装置Ｃの動作について、その特徴となる部分を纏めると、本実施形態のカッティング装置Ｃのうち、特にＯＤＤ・ＥＶＥＮ判定用ゲート信号発生器４１及び判定器４２の動作により、スタンパディスクにおける一回転前のプリピット４の位置（通常はＥＶＥＮフレーム位置に記録されている）が次の回転におけるプリピット４の位置に近い場合、より具体的には、一回転前のプリピット４の位置の情報を含んだゲート信号ＳGの範囲に当該次の回転におけるＥＶＥＮフレーム信号ＳEが入ることが判定器４２において判定された場合には、当該次の回転におけるプリピット４はＯＤＤフレーム信号ＳOの位置に記録されるように記録プリ情報ＳRが生成され、これに基づいて光変調器２５により光ビームＬLが変調され、プリピット４を含むランドトラック３がＤＶＤ−Ｒ１に形成される。このとき、当該光ビームＬLと同時に出力される光ビームＬGによりランドトラック３に並行するようにグルーブトラック２が形成される。更に、ウォブリング信号ＳWに基づく光変調器２５の移動により、光ビームＬGがウォブリングしつつ照射され、各プリピット４及び記録すべきプリ情報ＳPPに対応したウォブリング周波数でグルーブトラック２が形成される。
【０１３５】
以上説明したように、本実施形態のカッティング装置Ｃによれば、全てのシンクフレームに対応するグルーブトラック２について、相互に同じ位置（前半部）におけるウォブリングの周波数が予め設定された所定の一定ウォブリング周波数ｆ0となっているので、記録情報の記録時において、当該一定ウォブリング周波数ｆ0を検出し、これに基づいてＤＶＤ−Ｒ１の回転を制御すれば、シンクフレーム毎の周期で正確に検出される一定ウォブリング周波数ｆ0に基づいて回転制御することとなり、記録情報の記録におけるＤＶＤ−Ｒ１の回転を正確に制御することができる。
【０１３６】
また、一のシンクフレーム内のグルーブトラック２として、一定ウォブリング周波数ｆ0のグルーブトラック２に加えて記録すべきプリ情報ＳPPに対応したウォブリング周波数ｆ1又はｆ2のグルーブトラック２が形成されるので、記録情報の記録時において、当該プリ情報ＳPPに対応したウォブリング周波数がシンクフレーム毎の周期で正確に検出されることとなり、ＤＶＤ−Ｒ１の回転制御を正確に行いつつ記録情報の記録に必要なアドレス情報等を取得することができる。
【０１３７】
更に、一のシンクフレーム内のグルーブトラック２について、上記一定ウォブリング周波数ｆ0でウォブリングされている領域が当該一のシンクフレーム内のグルーブトラック２の前半部分であるので、グルーブトラック２の形成処理を簡略化することができ、更に、記録情報の記録時において一定ウォブリング周波数ｆ0とプリ情報ＳPPに対応したウォブリング周波数ｆ1又はｆ2の双方を確実に検出することができる。
【０１３８】
更にまた、グルーブトラック２のウォブリングに加えて、プリピット４によってもプリ情報ＳPPが記録されるので、ウォブリングにより記録されたプリ情報ＳPP又はプリピット４により記録されたプリ情報ＳPPのうちのいずれか一方が検出されない場合でも、確実にＤＶＤ−Ｒ１の回転を制御することができる。
【０１３９】
更に、実施形態のカッティング装置Ｃによれば、ＤＶＤ−Ｒ１における一回転前のＥＶＥＮフレーム位置に記録されたプリピット４の位置が次の回転におけるプリピット４の位置の近い場合には、当該次の回転においては、ＯＤＤフレームの位置にプリピット４が形成され、更にそのまま一回転した後は、元のＥＶＥＮフレーム位置にプリピット４が形成されるので、隣り合うランドトラック３においては、プリピット４の位置が重なることがなく、後述の記録情報の記録におけるプリ情報ＳＰＰの検出において、一のランドトラック３上のプリ情報ＳPPを読み取る際に、隣り合うランドトラック３のプリ情報ＳPPが洩れ込むことを防止することができ、正確なプリ情報ＳPPの読み取りを行うことができる。
【０１４０】
なお、このとき、ゲート信号ＳGが、スタンパディスクにおける一回転毎のランドトラック３の一周に対応する長さの増加分Δを含んだ長さ（１４Ｔ＋Δ）のパルス幅とされているので、スタンパディスク上の半径位置の変化により隣合うランドトラック３上のプリピット４の位置が近接することがない。従って、スタンパディスク上のいずれの部分においても、隣合うランドトラック３上のプリピット４の位置を半径方向の同一直線上にない位置とすることができる。
【０１４１】
また、一のシンクフレーム中におけるウォブリング周波数がｆ0である区間の長さは、上述した１／２シンクフレーム分に限られるものではなく、上記プリピット４に対応して、少なくとも三のプリピット４（上記プリピットＢ0乃至Ｂ2）が形成される区間のウォブリング周波数がｆ0であれば一シンクフレーム分以内のいずれの長さであってもよい。
【０１４２】
（II）情報記録装置の実施形態
次に、本発明に係る情報記録装置の実施の形態について、図１０乃至図１２に基づいて説明する。なお、以下の説明は、ホストコンピュータから送信されてくるディジタル情報を上記ＤＶＤ−Ｒ１に対して記録するための情報記録装置について本発明を適用した実施の形態を説明するものである。
【０１４３】
始めに、本実施形態に係る情報記録装置の全体構成及び動作について、図１０を用いて説明する。なお、以下の実施の形態では、ＤＶＤ−Ｒ１において、当該ＤＶＤ−Ｒ１上のアドレス情報等を含む上記プリピット４及びウォブリングされたグルーブトラック２が予め形成されており、ディジタル情報の記録時には、当該プリピット４及びグルーブトラック２のウォブリング周波数を予め検出することによりＤＶＤ−Ｒ１上のアドレス情報を得、これによりディジタル情報を記録するＤＶＤ−Ｒ１上の記録位置を検出して記録するものとする。
【０１４４】
図１０に示すように、実施形態の情報記録装置Ｓは、ピックアップ手段、記録手段としてのピックアップ７６と、再生増幅器７７と、デコーダ７８と、プリピット信号デコーダ７９と、駆動手段としてのスピンドルモータ８０と、駆動信号生成手段としてのサーボ回路８１と、プロセッサ８２と、エンコーダ８３と、パワー制御回路８４と、レーザ駆動回路８５と、インターフェース８６と、フィルタ８８と、波形整形器８９と、抽出手段としての制御信号抽出器９０とにより構成されている。また、当該情報記録装置Ｓには、外部のホストコンピュータ８７から記録すべきディジタル情報ＳＲＲがインターフェース８６を介して入力されている。
【０１４５】
次に、全体の動作を説明する。
【０１４６】
ピックアップ７６は、図示しないレーザダイオード、偏向ビームスプリッタ、対物レンズ、光検出器等を含み、レーザ駆動信号ＳＤＬに基づいて光ビームＢをＤＶＤ−Ｒ１の情報記録面に照射し、その反射光に基づいてラジアルプッシュプル方式により上記プリピット４及びグルーブトラック２のウォブリング周波数を検出して記録すべきディジタル情報ＳＲＲを記録すると共に、既に記録されているディジタル情報がある場合には、上記光ビームＢの反射光に基づいて当該既に記録されているディジタル情報を検出する。
【０１４７】
そして、再生増幅器７７は、ピックアップ７６から出力されたプリピット４及びグルーブトラック２のウォブリング周波数に対応する情報を含む検出信号ＳDTを増幅し、プリピット４及びグルーブトラック２のウォブリング周波数に対応するプリ情報信号ＳPPPを出力すると共に、既に記録されているディジタル情報に対応する増幅信号ＳPを出力する。
【０１４８】
その後、デコーダ７８は、増幅信号ＳPに対して８−１６復調及びデインターリーブを施すことにより当該増幅信号ＳPをデコードし、復調信号ＳDM及びサーボ復調信号ＳSDを出力する。
【０１４９】
一方、プリ情報信号デコーダ７９は、プリ情報信号ＳPPPに含まれるプリピット４を検出して得られた信号のみをデコードして復調プリピット信号ＳPDを出力する。
【０１５０】
そして、サーボ回路８１は、復調プリピット信号ＳPD及びサーボ復調信号ＳSDに基づいて、ピックアップ７６におけるフォーカスサーボ制御及びトラッキングサーボ制御のためのピックアップサーボ信号ＳSPを出力する。更に、サーボ回路８１は、後述のスピンドルサーボ信号ＳSPSに基づいてスピンドルサーボ制御信号ＳSSを出力してスピンドルモータ８０の回転をサーボ制御する。
【０１５１】
これらと並行して、プロセッサ８２は、復調信号ＳDMに基づいて既に記録されていたディジタル情報に対応する再生信号ＳOTを外部に出力すると共に、情報記録装置Ｓ全体を主として制御する。
【０１５２】
一方、インターフェース８６は、プロセッサ８２の制御の下、ホストコンピュータ８７から送信されてくるディジタル情報ＳRRに対して、これを情報記録装置Ｓに取り込むためのインターフェース動作を行い、当該ディジタル情報ＳRRをエンコーダ８３に出力する。
【０１５３】
そして、エンコーダ８３は、図示しないＥＣＣジェネレータ、８−１６変調部、スクランブラ等を含み、ディジタル情報ＳRRに基づいて、再生時のエラー訂正を行う単位であるＥＣＣブロックを構成すると共に、当該ＥＣＣブロックに対してインターリーブ及び８−１６変調並びにスクランブル処理を施し、変調信号ＳREEを生成する。
【０１５４】
その後、パワー制御回路８４は、変調信号ＳREEに基づいて、ピックアップ７６内の図示しないレーザダイオードの出力を制御するための記録信号ＳDを出力する。
【０１５５】
更にレーザ駆動回路８５は、記録信号ＳDに基づいて、実際に上記レーザダイオードを駆動して光ビームＢを出射させるための上記レーザ駆動信号ＳDLを出力する。
【０１５６】
一方、フィルタ８８は、プリ情報信号ＳPPPに含まれるグルーブトラック２のウォブリング周波数のみを抽出し、夫々のウォブリング周波数（上記周波数ｆ0、ｆ1及びｆ2）に対応する抽出信号ＳP1を出力する。
【０１５７】
そして、当該抽出信号ＳP1は、波形整形器８９に出力され、抽出信号ＳP1に含まれる雑音等が除かれてもとの各ウォブリング周波数を有する整形信号ＳP2が出力される。
【０１５８】
最後に、制御信号抽出器９０は、整形信号ＳP2に基づいて、上記スピンドルサーボ信号ＳSPSを出力すると共に、整形信号ＳP2にウォブリング周波数の組合わせとして含まれるアドレス情報をアドレス信号ＳDTTとしてプロセッサ８２に出力する。
【０１５９】
なお、上記の情報記録装置Ｓは、ＤＶＤ−Ｒ１に記録されている情報を再生することも可能であり、その際には、復調信号ＳDMに基づいてプロセッサ８２を介して再生信号ＳOTが外部に出力されることとなる。
【０１６０】
次に、本発明に係るフィルタ８８、波形整形器８９及び制御信号抽出器９０の細部構成について図１１を用いて説明する。
【０１６１】
図１１に示すように、フィルタ８８は、アナログ信号であるプリ情報信号ＳPPPをディジタル信号に変換するＡ／Ｄ変換器９１と、ディジタル化されたプリ情報信号ＳPPPから上記ウォブリング周波数を抽出するための、１０５ｋＨｚ乃至１７５ｋＨｚの周波数を有するプリ情報信号ＳPPPのみを通過させるバンドパスフィルタ９２とにより構成されている。
【０１６２】
また、波形整形器８９は、スイッチ９４と、ディレイ回路９５と、ウインドウコンパレータ９６と、予測演算器９３とにより構成されている。
【０１６３】
更に、制御信号抽出器９０は、コンパレータ９７と、エッジ抽出器９８と、カウンタ９９と、ホールド器１００と、ウインドウコンパレータ／コンパレータ１０１と、データ判定回路１０２とにより構成されている。
【０１６４】
次に、図１１及び図１２を用いてフィルタ８８、波形整形器８９及び制御信号抽出器９０の動作について説明する。
【０１６５】
再生増幅器７７から出力されたプリ情報信号ＳPPPはフィルタ８８に入力され、ディジタル信号に変換された後、グルーブトラック２のウォブリング周波数に対応する周波数成分のみが抽出され、抽出信号ＳP1として出力される。
【０１６６】
そして、当該抽出信号ＳP1は、波形整形器８９におけるスイッチ９４（通常は抽出信号ＳP1側に切り換えられている。）に出力されると共に、ディレイ回路９５及びウインドウコンパレータ９６に出力される。そして、当該抽出信号ＳP1をディレイ回路９５により所定時間遅延させ、当該遅延させた信号の振幅と現在の抽出信号ＳP1の振幅とをウインドウコンパレータ９６により比較して当該遅延させた信号と現在の抽出信号ＳP1との振幅の差を検出し、その差が予め設定された所定の値より大きいときはスイッチ９４を抽出信号ＳP1側から後述の予測演算器９３の出力信号側に切り換える。この動作は、図１２最上段に示すように、抽出信号ＳP1にはグルーブトラック２に隣接しているランドトラック３上のプリピット４によるインパルス状のノイズ（図１２最上段において、実線矢印で示す。）が含まれており、これを取り除くために、遅延させた信号と現在の抽出信号ＳP1とを上記ウインドウコンパレータ９６において比較し、その差が上記所定の値以上であるときは現在の抽出信号ＳP1には上記インパルス状ノイズが含まれているとして、当該現在の抽出信号ＳP1をスイッチ９４から整形信号ＳP2として出力せずに、これに代えて予測演算器９３の出力信号を整形信号ＳP2として出力するためである。
【０１６７】
ここで、上記予測演算器９３は、一又は数サンプル前の抽出信号ＳP1の振幅の平均値から現在の抽出信号ＳP1の振幅値を予測して出力するものであり、例えば、
（１つ前のサンプルにおける振幅値）＋（平均変化分）＝（現在の抽出信号ＳP1の振幅値）
という演算を行い、算出された現在の振幅値をスイッチ９４に出力するものである。
【０１６８】
このようにしてインパルス状ノイズが除去された抽出信号ＳP1は、整形信号ＳP2として制御信号抽出器９０に出力される。
【０１６９】
そして、制御信号抽出器９０中のコンパレータ９７は、整形信号ＳP2を二値化して、その周波数（ウォブリング周波数）の変化に対応した三種類のパルス長を有する比較信号ＳP3を出力する。これにより、エッジ抽出器９８は、当該比較信号ＳP3のエッジを抽出し、図１２に示すように元のウォブリング周波数に対応した三種類の間隔を有するエッジ信号ＳP4を出力する。このエッジ信号ＳP4は、カウンタ９９、ホールド器１００、ウインドウコンパレータ／コンパレータ１０１及びデータ判定回路１０２に出力されている。
【０１７０】
エッジ信号ＳP4が入力されるカウンタ９９は、当該エッジ信号ＳP4をトリガ信号として別途入力されているクロック信号ＣＬＫをカウントし、エッジ信号ＳP4が入力される度にそのときのカウント値をカウント信号ＳP5として出力する。このカウント信号ＳP5には、上記元のウォブリング周波数対応して三種類の値（図１２において「Ｋ」、「Ｌ」及び「Ｍ」で示す。）が含まれることとなる。その後、当該カウント信号ＳP5が入力されているホールド器１００は、エッジ信号ＳP4に基づいてカウント信号ＳP5の夫々の値をホールドし、カウント信号ＳP5に含まれる三種類の値に対応した三値のレベルを有するホールド信号ＳP6を出力する。そして、当該ホールド信号ＳP6が入力されているウインドウコンパレータ／コンパレータ１０１は、エッジ信号ＳP4に基づいて、入力されたホールド信号ＳP6を、カウント信号ＳP5における元のウォブリング周波数ｆ0に対応するレベルと、カウント信号ＳP5におけるそれ以外の値に対応するレベルの二種類のレベルを有するスピンドルサーボ信号ＳSPSを生成し、サーボ回路８１に出力する。このスピンドルサーボ信号ＳSPSは、プリ情報ＳPPの値に拘らず、正確に一シンクフレーム分の周期を有する信号であるので、当該波形を有するスピンドルサーボ信号ＳSPSをサーボ回路８１に出力し、これと予め設定された基準信号とを比較すれば、現在のＤＶＤ−Ｒ１の回転数の基準値からのずれが正確に検出できる。
【０１７１】
一方、これと並行してウインドウコンパレータ／コンパレータ１０１は、入力されたホールド信号ＳP6における三種類のレベルから元のウォブリング周波数により記録されていたアドレス信号（「０」又は「１」に対応した１０５ｋＨｚの周波数又は１７５ｋＨｚを示す信号）ＳP7をデータ判定回路１０２に出力する。
【０１７２】
そして、データ判定回路１０２は、アドレス信号ＳP7及び復調プリピット信号ＳPDに基づいて、当該復調プリピット信号ＳPDにより現在検出しているのがＥＶＥＮフレームであることが認識され、且つ、アドレス信号ＳP7により現在検出しているウォブリング周波数が１７５ｋＨｚであるときは現在検出されているプリ情報ＳPPが「１」であるとしてこれを示すアドレス信号ＳDTTをプロセッサ８２に出力する。一方、復調プリピット信号ＳPDにより現在検出しているのがＥＶＥＮフレームであることが認識され、且つ、アドレス信号ＳP7により現在検出しているウォブリング周波数が１０５ｋＨｚであるときは現在検出されているプリ情報ＳPPが「０」であるとしてこれを示すアドレス信号ＳDTTをプロセッサ８２に出力する。
【０１７３】
また、データ判定回路１０２は、復調プリピット信号ＳPDにより現在検出しているのがＯＤＤフレームであることが認識され、且つ、アドレス信号ＳP7により現在検出しているウォブリング周波数が１７５ｋＨｚであるときは現在検出されているプリ情報ＳPPが「０」であるとしてこれを示すアドレス信号ＳDTTをプロセッサ８２に出力する。一方、復調プリピット信号ＳPDにより現在検出しているのがＯＤＤフレームであることが認識され、且つ、アドレス信号ＳP7により現在検出しているウォブリング周波数が１０５ｋＨｚであるときは現在検出されているプリ情報ＳPPが「１」であるとしてこれを示すアドレス信号ＳDTTをプロセッサ８２に出力する。
【０１７４】
そして、アドレス信号ＳDTTが入力されたプロセッサ８２は、当該アドレス信号ＳDTTと復調プリピット信号ＳPDに基づいて、現在ディジタル情報ＳRRを記録しようとしているＤＶＤ−Ｒ１上のアドレス情報を取得することとなる。
【０１７５】
なお、アドレス信号ＳDTTと復調プリピット信号ＳPDには、同じアドレス情報が含まれていることとなるが、この使い分けについては、通常は、復調プリピット信号ＳPDに基づいてアドレス情報を取得すると共にアドレス信号ＳDTTを予備とし、ノイズ等により復調プリピット信号ＳPDが検出されないときにのみアドレス信号ＳDTTに基づいてアドレス情報を取得する。
【０１７６】
以上説明したように、本実施形態の情報記録装置Ｓによれば、プリ情報ＳPPの値に拘らず、正確に一シンクフレーム分の周期を有する信号であるスピンドルサーボ信号ＳSPSに基づいて現在のＤＶＤ−Ｒ１の回転数の基準値からのずれを正確に検出し、スピンドルサーボ制御信号ＳSSを生成してスピンドルモータ８０を回転制御するので、ＤＶＤ−Ｒ１の実際の回転数に対応した正確な回転制御が可能となる。
【０１７７】
また、ＤＶＤ−Ｒ１上のグルーブトラック２のウォブリングによりプリ情報ＳPPも記録されているので、ＤＶＤ−Ｒ１の回転制御を正確に行いつつ記録情報の記録に必要なアドレス情報を取得することができる。
【０１７８】
更に、一シンクフレームの前半部分が一定ウォブリング周波数ｆ0とされ、後半部分がプリ情報ＳPPに対応したウォブリング周波数とされているので、双方を確実に検出して記録情報を記録することができる。
【０１７９】
更にまた、ＤＶＤ−Ｒ１にプリピット４によってもプリ情報ＳPPが記録されているので、ウォブリングにより記録された回転制御のためのプリ情報ＳPP又はプリピット４により記録された回転制御のためのプリ情報ＳPPのうちのいずれか一方が検出されない場合でも、確実にＤＶＤ−Ｒ１の回転を制御して情報を記録することができる。
【０１８０】
なお、上記の各実施形態は、ＤＶＤ−Ｒ１について本発明を適用した場合について説明したが、これに限らず、トラックのウォブリングにより移動制御のための情報を検出する記録媒体（例えば、テープ状記録媒体等）に対して、所定の情報単位毎の情報を記録する場合に広く適用することができる。
【図面の簡単な説明】
【０１８１】
【図１】実施形態のＤＶＤ−Ｒの構成の一例を示す斜視図である。
【図２】実施形態のＤＶＤ−Ｒにおける記録フォーマットの一例を示す図である。
【図３】実施形態のカッティング装置の概要構成を示すブロック図である。
【図４】実施形態のプリフォーマット用エンコーダの概要構成を示すブロック図である。
【図５】実施形態のフレーム信号発生器及びＯＤＤ・ＥＶＥＮ判定用ゲート信号発生器の概要構成を示すブロック図である。
【図６】実施形態の記録プリ情報発生器及びビットタイミング発生器の概要構成を示すブロック図であり、（ａ）は記録プリ情報発生器の概要構成を示すブロック図であり、（ｂ）はビットタイミング発生器の概要構成を示すブロック図である。
【図７】プリフォーマット用エンコーダの動作を示すタイミングチャートであり、（ａ）はＥＶＥＮフレーム信号及びＯＤＤフレーム信号を示すタイミングチャートであり、（ｂ）は判定器の動作を示すタイミングチャートである。
【図８】記録プリ情報発生器の動作を示すタイミングチャートである。
【図９】フレーム信号発生器及びＯＤＤ・ＥＶＥＮ判定用ゲート信号発生器の動作を示すタイミングチャートである。
【図１０】情報記録装置の概要構成を示すブロック図である。
【図１１】フィルタ、波形整形器及び制御信号抽出器の細部構成を示すブロック図である。
【図１２】フィルタ、波形整形器及び制御信号抽出器の動作を示すタイミングチャートである。
【符号の説明】
【０１８２】
１    ＤＶＤ−Ｒ
２    グルーブトラック
３    ランドトラック
４    プリピット
５    色素膜
６    金蒸着膜
７    保護層
２０    データ生成部
２１    パラレル／シリアル変換器
２２    プリフォーマット用エンコーダ
２３    クロック信号発生部
２４、２４G、２４L    レーザ発生装置
２５    光変調器
２６    対物レンズ
２７    ガラス基盤
２８    レジスト
２９、８０    スピンドルモータ
３０    回転検出器
３１    回転サーボ回路
３２    送りユニット
３３    位置検出器
３４    送りサーボ回路
４０    フレーム信号発生器
４１    ＯＤＤ・ＥＶＥＮ判定用ゲート信号発生器
４２    判定器
４３    スイッチ
４４    記録プリ情報発生器
４４Ｅ    ＥＶＥＮ部
４４Ｏ    ＯＤＤ部
４５、５４、７４、９９    カウンタ
４６    ＲＯＭ
４７    Ｄ／Ａ変換器
５０    ＯＤＤフレーム用カウンタ
５１    ＥＶＥＮフレーム用カウンタ
５２、５３、５５、７５、７８    デコーダ
６０    ラッチ回路
６１    ゲート用カウンタ
６２    モノマルチバイブレータ
６５、７０    ビットタイミング発生器
６６、６８、７１、７２    ＡＮＤ回路
６７、６９、７３    ＯＲ回路
７６    ピックアップ
７７    再生増幅器
７９    プリピット信号デコーダ
８１    サーボ回路
８２    プロセッサ
８３    エンコーダ
８４    パワー制御回路
８５    レーザ駆動回路
８６    インターフェース
８７    ホストコンピュータ
８８    フィルタ
８９    波形整形器
９０    制御信号抽出器
９１    Ａ／Ｄ変換器
９２    バンドパスフィルタ
９３    予測演算器
９４    スイッチ
９５    ディレイ回路
９６    ウインドウコンパレータ
９７    コンパレータ
９８    エッジ抽出器
１００    ホールド器
１０１    ウインドウコンパレータ／コンパレータ
１０２    データ判定器
Ｃ    カッティング装置
ＣＬＫ    クロック信号
Ｓ    情報記録装置
ＬL、ＬG、Ｂ    光ビーム
ＳＰ    光スポット
ＳPP    プリ情報
ＳR    記録プリ情報
ＳS    一回転検出信号
ＳE    ＥＶＥＮフレーム信号
ＳEC    ＥＶＥＮフレームカウント信号
ＳO    ＯＤＤフレーム信号
ＳOC    ＯＤＤフレームカウント信号
ＳJ    判定信号
ＳC、ＳCC、ＳCCC、ＳP5    カウント信号
ＳW    ウォブリング信号
ＳG    ゲート信号
ＳH    先頭フレーム信号
ＳRE    偶数記録プリ情報
ＳRO    奇数記録プリ情報
ＳGC    ゲート用カウント信号
ＳB0、ＳB1、ＳB2    タイミング信号
ＳRR    ディジタル情報
ＳREE    変調信号
ＳD    記録信号
ＳDT    検出信号
ＳDL    レーザ駆動信号
ＳOT    再生信号
ＳP    増幅信号
ＳPPP    プリピット信号
ＳDM    復調信号
ＳSD    サーボ復調信号
ＳPD    復調プリピット信号
ＳSP    ピックアップサーボ信号
ＳSPS    スピンドルサーボ信号
ＳSS    スピンドルサーボ制御信号
ＳDTT、ＳP7    アドレス信号
ＳP1    抽出信号
ＳP2    整形信号
ＳP3    比較信号
ＳP4    エッジ信号
ＳP6    ホールド信号
【図１】
2005149720.tif 000004
【図２】
2005149720.tif 000005
【図３】
2005149720.tif 000006
【図４】
2005149720.tif 000007
【図５】
2005149720.tif 000008
【図６】
2005149720.tif 000009
【図７】
2005149720.tif 000010
【図８】
2005149720.tif 000011
【図９】
2005149720.tif 000012
【図１０】
2005149720.tif 000013
【図１１】
2005149720.tif 000014
【図１２】
2005149720.tif 000015
【手続補正書】
【提出日】平成17年3月9日(2005.3.9)
【手続補正１】
【補正対象書類名】特許請求の範囲
【補正対象項目名】全文
【補正方法】変更
【補正の内容】
【特許請求の範囲】
【請求項１】
記録すべき記録情報を記録媒体に対して記録する際の当該記録媒体の移動速度を制御するための移動制御情報を、前記記録媒体上に形成されたトラックをウォブリングさせることにより当該記録媒体に記録する移動制御情報記録装置であって、
前記記録情報における一の情報単位が記録されるべき領域内に形成される前記トラックである情報単位内トラックの一部を、予め設定された設定周波数でウォブリングさせるための特定ウォブリング信号を生成する特定ウォブリング信号生成手段と、
一の前記情報単位内トラック内における前記一部以外の前記情報単位内トラックの前記ウォブリングの周波数を、前記情報単位内トラックに記録すべき制御情報であり且つ前記記録情報の記録の際に用いられる制御情報に対応した制御情報対応周波数とする制御ウォブリング信号を生成する制御ウォブリング信号生成手段と、
前記生成された特定ウォブリング信号に基づいて、前記一部を前記設定周波数でウォブリングさせることにより前記移動制御情報を記録し、且つ前記生成された制御ウォブリング信号に基づいて、前記一部以外の前記情報単位内トラックをウォブリングさせることにより前記制御情報を前記記録媒体に記録する記録手段と、
を備え、
前記特定ウォブリング信号生成手段は、前記記録媒体上の全ての前記情報単位内トラックについて、相互に同じ位置における前記ウォブリングの周波数が前記設定周波数となるように前記特定ウォブリング信号を生成することを特徴とする移動制御情報記録装置。
【請求項２】
請求項１に記載の移動制御情報記録装置であって、
前記移動制御情報及び前記制御情報を、前記記録媒体上の前記トラックに隣接する隣接トラック上にピットを形成することにより記録するためのピット形成信号を生成するピット形成信号生成手段を更に備え、
前記記録手段は、前記ピット形成信号に基づいて、前記隣接トラック上に前記ピットを形成して前記制御情報を前記記録媒体上に記録することを特徴とする移動制御情報記録装置。
【請求項３】
ウォブリングされ且つ予め設定された複数の単位よりなるトラックが予め記録された情報記録媒体であって、
各前記単位における相互に同じ領域の前記ウォブリングの形状が相互に同一であり、且つ各前記単位における前記領域以外が、記録すべきプリ情報に対応したウォブリング形状を有すること特徴とする情報記録媒体。
【請求項４】
請求項３に記載の情報記録媒体において、
各前記領域は予め設定された一定ウォブリング周波数で夫々にウォブリングされていることを特徴とする情報記録媒体。
【請求項５】
ウォブリングされ且つ予め設定された複数の単位よりなるトラックが予め記録され、各前記単位における相互に同じ領域の前記ウォブリングの形状が相互に同一であり、且つ各前記単位における前記領域以外が、記録すべきプリ情報に対応したウォブリング形状を有する情報記録媒体に記録情報を記録する情報記録装置であって、
前記トラックに対して光ビームを照射し、当該光ビームの前記トラックからの反射光に基づいて検出信号を出力するピックアップ手段と、
前記検出信号から、前記プリ情報を抽出する抽出手段と、
前記抽出されたプリ情報に基づいて前記記録情報を前記記録媒体に記録する記録手段と、
を備えることを特徴とする情報記録装置。
【請求項６】
ウォブリングされ且つ予め設定された複数の単位よりなるトラックが予め記録された情報記録媒体であって、各前記単位における相互に同じ領域の前記ウォブリングの形状が相互に同一であり、且つ各前記単位における前記領域以外が、記録すべきプリ情報に対応したウォブリング形状を有する情報記録媒体に記録された情報を再生する情報再生装置であって、
前記トラックに対して光ビームを照射し、当該光ビームの前記トラックからの反射光に基づいて検出信号を出力するピックアップ手段と、
前記検出信号から、前記プリ情報を抽出する抽出手段と、
を備えることを特徴とする情報再生装置。
【手続補正３】
【補正対象書類名】明細書
【補正対象項目名】０００１
【補正方法】変更
【補正の内容】
【０００１】
本発明は、追記可能なＷＯ（Write Once）型の記録媒体（以下、ＤＶＤ−Ｒ（DVD-Recordable）という。）において、当該記録媒体の制御情報（以下、プリ情報という。）を予め記録するための移動制御情報記録装置、情報記録媒体及び情報再生装置に属する。
【手続補正４】
【補正対象書類名】明細書
【補正対象項目名】０００８
【補正方法】変更
【補正の内容】
【０００８】
上記の課題を解決するために、請求項１に記載の発明は、記録すべき記録情報を記録媒体に対して記録する際の当該記録媒体の移動速度を制御するための移動制御情報を、前記記録媒体上に形成されたグルーブトラック等のトラックをウォブリングさせることにより当該記録媒体に記録する移動制御情報記録装置であって、前記記録情報におけるシンクフレーム等の一の情報単位が記録されるべき領域内に形成される前記トラックである情報単位内トラックの一部を、予め設定された設定周波数でウォブリングさせるための特定ウォブリング信号を生成するプリフォーマット用エンコーダ等の特定ウォブリング信号生成手段と、一の前記情報単位内トラック内における前記一部以外の前記情報単位内トラックの前記ウォブリングの周波数を、前記情報単位内トラックに記録すべき制御情報であり且つ前記記録情報の記録の際に用いられる制御情報に対応した制御情報対応周波数とする制御ウォブリング信号を生成するプリフォーマット用エンコーダ等の制御ウォブリング信号生成手段と、前記生成された特定ウォブリング信号に基づいて、前記一部を前記設定周波数でウォブリングさせることにより前記移動制御情報を記録し、且つ前記生成された制御ウォブリング信号に基づいて、前記一部以外の前記情報単位内トラックをウォブリングさせることにより前記制御情報を前記記録媒体に記録する光変調器等の記録手段と、を備え、前記特定ウォブリング信号生成手段は、前記記録媒体上の全ての前記情報単位内トラックについて、相互に同じ位置における前記ウォブリングの周波数が前記設定周波数となるように前記特定ウォブリング信号を生成するように構成される。
【手続補正５】
【補正対象書類名】明細書
【補正対象項目名】０００９
【補正方法】変更
【補正の内容】
【０００９】
上記の課題を解決するために、請求項３に記載の発明は、ウォブリングされ且つ予め設定されたシンクフレーム等の複数の単位よりなるグルーブトラック等のトラックが予め記録された情報記録媒体であって、各前記単位における相互に同じ領域の前記ウォブリングの形状が相互に同一であり、且つ各前記単位における前記領域以外が、記録すべきプリ情報に対応したウォブリング形状を有するように構成される。
【手続補正６】
【補正対象書類名】明細書
【補正対象項目名】００１０
【補正方法】変更
【補正の内容】
【００１０】
上記の課題を解決するために、請求項５に記載の発明は、ウォブリングされ且つ予め設定されたシンクフレーム等の複数の単位よりなるグルーブトラック等のトラックが予め記録され、各前記単位における相互に同じ領域の前記ウォブリングの形状が相互に同一であり、且つ各前記単位における前記領域以外が、記録すべきプリ情報に対応したウォブリング形状を有する情報記録媒体に記録情報を記録する情報記録装置であって、前記トラックに対して光ビームを照射し、当該光ビームの前記トラックからの反射光に基づいて検出信号を出力するピックアップ等のピックアップ手段と、前記検出信号から、前記プリ情報を抽出するフィルタ等の抽出手段と、前記抽出されたプリ情報に基づいて前記記録情報を前記記録媒体に記録するピックアップ等の記録手段と、を備える。
【手続補正７】
【補正対象書類名】明細書
【補正対象項目名】００１１
【補正方法】変更
【補正の内容】
【００１１】
上記の課題を解決するために、請求項６に記載の発明は、ウォブリングされ且つ予め設定されたシンクフレーム等の複数の単位よりなるグルーブトラック等のトラックが予め記録された情報記録媒体であって、各前記単位における相互に同じ領域の前記ウォブリングの形状が相互に同一であり、且つ各前記単位における前記領域以外が、記録すべきプリ情報に対応したウォブリング形状を有する情報記録媒体に記録された情報を再生する情報再生装置であって、前記トラックに対して光ビームを照射し、当該光ビームの前記トラックからの反射光に基づいて検出信号を出力するピックアップ等のピックアップ手段と、前記検出信号から、前記プリ情報を抽出するフィルタ等の抽出手段と、を備える。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】削除
【補正の内容】
【手続補正２５】
【補正対象書類名】明細書
【補正対象項目名】００２９
【補正方法】削除
【補正の内容】
【手続補正２６】
【補正対象書類名】明細書
【補正対象項目名】００３０
【補正方法】削除
【補正の内容】
【手続補正２７】
【補正対象書類名】明細書
【補正対象項目名】００３１
【補正方法】削除
【補正の内容】
【手続補正２８】
【補正対象書類名】明細書
【補正対象項目名】００３２
【補正方法】削除
【補正の内容】
【手続補正２９】
【補正対象書類名】明細書
【補正対象項目名】００３３
【補正方法】削除
【補正の内容】
【手続補正３０】
【補正対象書類名】明細書
【補正対象項目名】００３４
【補正方法】削除
【補正の内容】
【手続補正３１】
【補正対象書類名】明細書
【補正対象項目名】００３５
【補正方法】削除
【補正の内容】
【手続補正３２】
【補正対象書類名】明細書
【補正対象項目名】００３６
【補正方法】削除
【補正の内容】
【手続補正３３】
【補正対象書類名】明細書
【補正対象項目名】００３７
【補正方法】削除
【補正の内容】
【手続補正３４】
【補正対象書類名】明細書
【補正対象項目名】００３８
【補正方法】削除
【補正の内容】
【手続補正３５】
【補正対象書類名】明細書
【補正対象項目名】００３９
【補正方法】削除
【補正の内容】
【手続補正３６】
【補正対象書類名】明細書
【補正対象項目名】００４０
【補正方法】削除
【補正の内容】
【手続補正３７】
【補正対象書類名】明細書
【補正対象項目名】００４１
【補正方法】削除
【補正の内容】
【手続補正３８】
【補正対象書類名】明細書
【補正対象項目名】００４２
【補正方法】削除
【補正の内容】
【手続補正３９】
【補正対象書類名】明細書
【補正対象項目名】００４３
【補正方法】削除
【補正の内容】
【手続補正４０】
【補正対象書類名】明細書
【補正対象項目名】００４４
【補正方法】削除
【補正の内容】
【手続補正４１】
【補正対象書類名】明細書
【補正対象項目名】００４５
【補正方法】削除
【補正の内容】
【手続補正４２】
【補正対象書類名】明細書
【補正対象項目名】００４６
【補正方法】削除
【補正の内容】
【手続補正４３】
【補正対象書類名】明細書
【補正対象項目名】００４７
【補正方法】削除
【補正の内容】
【手続補正４４】
【補正対象書類名】明細書
【補正対象項目名】００４８
【補正方法】削除
【補正の内容】
【手続補正４５】
【補正対象書類名】明細書
【補正対象項目名】００４９
【補正方法】削除
【補正の内容】
【手続補正４６】
【補正対象書類名】明細書
【補正対象項目名】００５０
【補正方法】削除
【補正の内容】
【手続補正４７】
【補正対象書類名】明細書
【補正対象項目名】００５１
【補正方法】削除
【補正の内容】
【手続補正４８】
【補正対象書類名】明細書
【補正対象項目名】００５２
【補正方法】削除
【補正の内容】
【手続補正４９】
【補正対象書類名】明細書
【補正対象項目名】００５３
【補正方法】削除
【補正の内容】
【手続補正５０】
【補正対象書類名】明細書
【補正対象項目名】００５４
【補正方法】削除
【補正の内容】
【手続補正５１】
【補正対象書類名】明細書
【補正対象項目名】００５５
【補正方法】削除
【補正の内容】
【手続補正５２】
【補正対象書類名】明細書
【補正対象項目名】００５６
【補正方法】削除
【補正の内容】
【手続補正５３】
【補正対象書類名】明細書
【補正対象項目名】００５７
【補正方法】削除
【補正の内容】
【手続補正５４】
【補正対象書類名】明細書
【補正対象項目名】００５８
【補正方法】削除
【補正の内容】
【手続補正５５】
【補正対象書類名】明細書
【補正対象項目名】００５９
【補正方法】削除
【補正の内容】
【手続補正５６】
【補正対象書類名】明細書
【補正対象項目名】００６０
【補正方法】削除
【補正の内容】
【手続補正５７】
【補正対象書類名】明細書
【補正対象項目名】００６１
【補正方法】削除
【補正の内容】
【手続補正５８】
【補正対象書類名】明細書
【補正対象項目名】００６２
【補正方法】削除
【補正の内容】
【手続補正５９】
【補正対象書類名】明細書
【補正対象項目名】００６３
【補正方法】削除
【補正の内容】
【手続補正６０】
【補正対象書類名】明細書
【補正対象項目名】００６４
【補正方法】削除
【補正の内容】
【手続補正６１】
【補正対象書類名】明細書
【補正対象項目名】００６５
【補正方法】削除
【補正の内容】
【手続補正６２】
【補正対象書類名】明細書
【補正対象項目名】００６６
【補正方法】削除
【補正の内容】
【手続補正６３】
【補正対象書類名】明細書
【補正対象項目名】００６７
【補正方法】削除
【補正の内容】
【手続補正６４】
【補正対象書類名】明細書
【補正対象項目名】００６８
【補正方法】削除
【補正の内容】
【手続補正６５】
【補正対象書類名】明細書
【補正対象項目名】００６９
【補正方法】削除
【補正の内容】
【手続補正６６】
【補正対象書類名】明細書
【補正対象項目名】００７０
【補正方法】削除
【補正の内容】
【手続補正６７】
【補正対象書類名】明細書
【補正対象項目名】００７１
【補正方法】削除
【補正の内容】
【手続補正６８】
【補正対象書類名】明細書
【補正対象項目名】００７２
【補正方法】削除
【補正の内容】
【手続補正６９】
【補正対象書類名】明細書
【補正対象項目名】００７３
【補正方法】削除
【補正の内容】
【手続補正７０】
【補正対象書類名】明細書
【補正対象項目名】００７４
【補正方法】削除
【補正の内容】
【手続補正７１】
【補正対象書類名】明細書
【補正対象項目名】００７５
【補正方法】削除
【補正の内容】